(57)【要約】      （修正有）【課題】取出し性を改善された薄葉紙包装製品を提供する。【解決手段】フィルム包装袋１０と、前記フィルム包装袋１０内部に収納された薄葉紙束と、を有しており、前記フィルム包装袋１０の上面には、前記薄葉紙束の幅方向に沿う取出口１５が形成されており、ソフトネスが１．０〜４．０ｃＮとされ、坪量は９．０〜２０．０ｇ／ｍ2とされた複数の前記薄葉紙が、前記取出口１５からポップアップ式に１組ずつ取出し可能に積み重ねられることで形成されており、前記フィルム包装袋を形成するフィルムは、厚みが２０〜６０μｍ、ソフトネスが５．０〜５０．０ｃＮとされ、前記取出口１５の幅は薄葉紙束の幅に対して７８％〜９６％であり、前記取出口の奥行は薄葉紙束の奥行に対して１５％〜２８％である。【選択図】図１
2018052559.tif 000002
【特許請求の範囲】
【請求項１】
可撓性フィルムから形成されたフィルム包装袋と、前記フィルム包装袋内部に収納された薄葉紙束と、を有しており、
前記フィルム包装袋の上面には、前記薄葉紙束の幅方向に沿う取出口が形成されており、
前記薄葉紙は、ＪＩＳ  Ｌ  １０９６（２０１０）  Ｅ法に準じたハンドルオメータ法に基づいて測定されるソフトネスが１．０〜４．０ｃＮとされ、
前記薄葉紙の坪量は、ＪＩＳ  Ｐ  ８１２４（１９９８）に基づいて測定される１枚あたりの坪量が９．０〜２０．０ｇ／ｍ2とされた複数の薄葉紙が、前記取出口からポップアップ式に１組ずつ取出し可能に積み重ねられることで形成されており、
前記フィルム包装袋を形成するフィルムは、ＪＩＳ  Ｐ  ８１１８（１９９８）に準拠して測定される厚みが２０〜６０μｍ、ＪＩＳ  Ｌ  １０９６（２０１０）  Ｅ法に準じたハンドルオメータ法に基づいて測定されるソフトネスが５．０〜５０．０ｃＮとされ、
前記取出口の幅は薄葉紙束の幅に対して７８％〜９６％であり、
前記取出口の奥行は薄葉紙束の奥行に対して１５％〜２８％である、
ことを特徴とする薄葉紙包装製品。
【請求項２】
前記取出口の各端部は、最端縁を中心に含む少なくとも奥行の前後５ｍｍの範囲において、曲率半径が５ｍｍ以上の曲線、あるいは最端縁として５ｍｍ以上の直線部分を有する、請求項１に記載の薄葉紙包装製品。
【請求項３】
前記取出口は、切除により開口している請求項１に記載の薄葉紙包装製品。
【請求項４】
前記取出口は、前記幅方向に沿って配されたスリットによって形成されている請求項１に記載の薄葉紙包装製品。
【請求項５】
前記取出口は、平面視でＳ字状を示している請求項４に記載の薄葉紙包装製品。
【請求項６】
前記取出口の終端が、奥行方向の同じ側に位置している請求項４に記載の薄葉紙包装製品。
【請求項７】
前記フィルムは、ポリエチレン及びポリプロピレンの少なくとも一方を材料としている  請求項１に記載の薄葉紙包装製品。
【発明の詳細な説明】
【技術分野】
【０００１】
本発明は、複数枚の薄葉紙からなる束が柔軟なフィルムによって包装されている薄葉紙包装製品に関する。
【背景技術】
【０００２】
複数枚の家庭用薄葉紙の束が収納容器に収納されている家庭用薄葉紙包装製品はよく知られる。このような家庭用薄葉紙の代表例はティシュペーパーであり、複数枚のティシュペーパーの束が収納容器に収納されているティシュペーパー製品の中には、汎用タイプ、汎用品などと称される、特に低価格であることが重視される商品カテゴリーがある。
【０００３】
このようなティシュペーパー製品では、より安価にすべく原紙の低坪量化や、一枚のシート寸法を縮小化するなど、使用感を維持しつつ原料費を減らすことが行われてきた。
【０００４】
また、ティシュペーパー製品の多くは、収納容器がコートボール紙など比較的剛性のある紙製収納箱とされているが、汎用タイプのティシュペーパー製品の中には、このような収納容器に係る資材費をより削減した、安価な樹脂製のフィルムによって束を包装したものがあり、その市場が拡大しつつある。
【０００５】
他方で、特許文献１が参照されるように、ティシュペーパーの包装フィルムとしては、ポリエチレンやポリプロピレンなどの薄い厚みのフィルムが使用され、包装体の上面に直線状のミシン目を形成しておき、使用時にミシン目を開封した、開封したスリット口からティシュペーパーを取り出すようにしている。
【先行技術文献】
【特許文献】
【０００６】
【特許文献１】特開２０１４−１２９１１３号公報
【発明の概要】
【発明が解決しようとする課題】
【０００７】
しかるに、スリット口からティシュペーパーを取り出す際に、スリット口の特に端部において、取り出そうとしているティシュペーパーが詰まってしまい、場合によっては、後続のティシュペーパーとが重なり詰まってしまい、ティシュペーパーの破れや包装フィルムと共に製品が持ち上がるといった、取出し不良が発生する。
【０００８】
そこで、本発明の主たる課題は、取出し性が改善された薄葉紙包装製品を提供することにある。
【課題を解決するための手段】
【０００９】
上記課題を解決するための本発明に係る薄葉紙包装製品は、
可撓性フィルムから形成されたフィルム包装袋と、前記フィルム包装袋内部に収納された薄葉紙束と、を有しており、
前記フィルム包装袋の上面には、前記薄葉紙束の幅方向に沿う取出口が形成されており、
前記薄葉紙は、ＪＩＳ  Ｌ  １０９６（２０１０）  Ｅ法に準じたハンドルオメータ法に基づいて測定されるソフトネスが１．０〜４．０ｃＮとされ、
前記薄葉紙の坪量は、ＪＩＳ  Ｐ  ８１２４（１９９８）に基づいて測定される１枚あたりの坪量が９．０〜２０．０ｇ／ｍ2とされた複数の薄葉紙が、前記取出口からポップアップ式に１組ずつ取出し可能に積み重ねられることで形成されており、
前記フィルム包装袋を形成するフィルムは、ＪＩＳ  Ｐ  ８１１８（１９９８）に準拠して測定される厚みが２０〜６０μｍ、ＪＩＳ  Ｌ  １０９６（２０１０）  Ｅ法に準じたハンドルオメータ法に基づいて測定されるソフトネスが５．０〜５０．０ｃＮとされ、
前記取出口の幅は薄葉紙束の幅に対して７８％〜９６％であり、
前記取出口の奥行は薄葉紙束の奥行に対して１５％〜２８％である。
【００１０】
本発明によれば、フィルム包装袋により包装された薄葉紙の取出し性を改善される。
【００１１】
フィルム包装袋の上面の取出口として、幅方向に沿う直線状のミシン目からなるフィルム包装袋であると、取出口（スリット口）から薄葉紙を１組ごと順次取出し、残りの組数が少なくなった場合、
（１）特に取出口の端部において、取出口からの当該１組の取出しが困難となり、
（２）強引に引き上げると、薄葉紙が破断する、
（３）強引に引き上げると、薄葉紙包装製品自体が持ち上がる、
（４）あるいはその取出しの際に、取出口の端を引き裂いてしまい、取出口の幅が長くなり、取出口の両側縁で薄葉紙の保持する力が弱くなり、薄葉紙の保持性が低下する、
などの現象が生じる。
なお、本発明において、薄葉紙１組とは、実施形態において、１枚または複数プライ（複数枚重ね）となっている形態のことをいい、例えばティシュペーパー製品では、一般的には２プライ（２枚重ね）を１組とすることをいう。
【００１２】
本発明者は、これらの現象を生じさせる要因を突き止めるべく種々の検討を行った。その結果、次のことが根本的な原因であることを知見した。
すなわち、取出口からの取出しを繰り返し、残りの組数が少なくなった場合、薄葉紙束の上面とフィルム上面との間の空間が大きくなるとともに、包装フィルムの形状が変形しやすいので、現在取り出そうとしている当該組の薄葉紙とフィルム上面の内面との接触面積が大きくなり、それらの間で生じる摩擦により取出抵抗が大きくなる現象がみられる。
すなわち、残りの組数が少なくなった場合、フィルム上面が浮いて取出口に向かって山形に変形すると、薄葉紙とフィルム上面の内面との間で生じる摩擦が広範囲において生じる結果、前記の取出抵抗値が大きくなり、前記の（１）の現象が生じるものと考えられる。
【００１３】
本発明は、取出し性を改善するためのものであり、上記（１）の課題を解決しようとするものである。
【００１４】
本発明は、取出口の幅によって取出し性が良好となる。また、本発明ではスリット口ではなく、薄葉紙束の奥行方向に対して１５％〜２８％のある程度大きな奥行きをもった取出口とすることで、取出しに伴う取出抵抗を抑制でき、この面からも取出し性が良好となる。
【００１５】
前記取出口の各端部は、最端縁を中心に含む少なくとも奥行の前後５ｍｍの範囲において、曲率半径が５ｍｍ以上の曲線、あるいは最端縁として５ｍｍ以上の直線部分を有するのが特に望ましい。
【００１６】
取出口は、切除により開口していることが望ましい。切除により取出口が開口していることにより、取出口の側縁と薄葉紙との間の取出抵抗が小さいものとなるからである。
【００１７】
本発明の条件を満たす限り、取出口は、前記幅方向に沿って配されたミシン目によって形成することもできる。上述の切除による場合、切除片を廃棄する必要があり、環境への負荷となる。予めミシン目を形成しておき、使用者が使用時において開封するようにすると、フィルム包装袋内への異物の混入を防止でき、環境への負荷を抑制できる。
【００１８】
取出口は、平面視でＳ字状を示しているものでもよい。
【００１９】
前記取出口の終端が、奥行方向の同じ側に位置しているものでもよい。この「奥行方向の同じ側」の意義については後述する。
【００２０】
使用するフィルムとしては、ポリエチレン及びポリプロピレンの少なくとも一方を材料とすることができる。これらの２種以上の積層構造のものでもよい。
【発明の効果】
【００２１】
本発明によれば、フィルム包装袋により包装された薄葉紙の取出し性を改善できる。
【図面の簡単な説明】
【００２２】
【図１】本発明の実施形態のティシュペーパー包装体の斜視図である。
【図２】（Ａ）は取出口例の平面図、（Ｂ）は図１の２−２線矢視断面図である。
【図３】図１の３−３線矢視断面図である。
【図４】ティシュペーパー包装体からのティシュペーパー取出し状況の斜視図である。
【図５】取出口の例を示す平面図である。
【図６】取出口の他の例を示す平面図である。
【図７】取出口の別の例を示す平面図である。
【図８】スリット口（取出口）の場合におけるティシュペーパー取出し状況の断面図である。
【図９】取出し抵抗値の測定方法を説明する斜視図である。
【発明を実施するための形態】
【００２３】
以下、本発明の実施形態を図面を参照しながら説明する。以下に説明する実施形態としては、特に好適な形態である家庭用薄葉紙がティシュペーパーである例について説明するものである。ただし、本発明における薄葉紙は、ティシュペーパーに限らず、坪量やソフトネス等が規定範囲内であれば、いわゆるキッチンペーパーやペーパータオルであってもよい。
【００２４】
図中に示す矢印ＷＤは幅方向を、矢印ＣＤは奥行方向、矢印ＨＤは嵩高方向をそれぞれ示している。
【００２５】
〔第１実施形態〕
図１〜４に示すものは、本発明に係る薄葉紙包装製品の第１実施形態を示すものである。この薄葉紙包装製品１は、可撓性の樹脂フィルムから形成されたフィルム包装袋１０と、フィルム包装袋１０内部の収納空間１６に収納された薄葉紙束２０とを有している。
【００２６】
かかるフィルム包装袋１０の上面１１の奥行方向中央には、薄葉紙束２０の幅方向ＷＤに沿って取出口１５が形成されている。
フィルム包装袋１０の収納空間１６内に収納された薄葉紙束２０は、多数の薄葉紙２をポップアップ式に折り畳み重ねることで構成されており、全体としては直方体状を成している。図示のように、薄葉紙２は、嵩高方向に折り畳み重ねられており、薄葉紙２の折り畳み重ね方向とフィルム包装袋１０の上面とが対向する形となっている。
薄葉紙２は、１組ごと取出口１５から摘まみ引き上げることにより取出すことができる。
【００２７】
薄葉紙束２０の寸法例としては、幅方向長さＷ２が１５０〜２５０ｍｍ、奥行方向長さＣ２が８０〜１３０ｍｍ、嵩高方向長さＨ２が２５〜１１０ｍｍ程度であり、本実施の形態における薄葉紙束２０の寸法もこの範囲内とすることができる。
【００２８】
フィルム包装袋１０の収納空間１６は、幅方向長さＷ１が薄葉紙束２０の幅方向長さＷ２の１０３〜１３５％とされており、奥行方向長さＣ１が薄葉紙束２０の奥行方向長さＣ２の１０３〜１３５％とされていることが好ましい。収納空間の幅方向長さＷ１及び奥行方向長さＣ１が上記数値範囲内であると、薄葉紙束２０の幅方向両側部及び奥行方向両側部とフィルム包装袋１０内壁との接触部分を少なくすることができ、取出抵抗が少なく、他方で、薄葉紙束２０が収納空間１６内で過度にずれることを防止できる。
【００２９】
一方、フィルム包装袋１０の収納空間１６の嵩高方向長さＨ１は、薄葉紙束２０の嵩高方向長さＨ２の１００〜１３０％とされていることが好ましい。フィルム包装袋１０の収納空間１６の嵩高方向長さＨ１が、薄葉紙束２０の嵩高方向長さＨ２の１３０％超過であると、見栄えが悪くなると共に、フィルム包装袋１０がダブついて薄葉紙２を取出しにくくなってしまう難点がある。
【００３０】
薄葉紙束２０を構成する薄葉紙２としては、ティシュペーパー、ペーパータオル、キッチンペーパーが用いられ、ソフトネスが１．０〜４．０ｃＮである。ここで、ソフトネスは、ＪＩＳ  Ｌ  １０９６（２０１０）  Ｅ法に準じたハンドルオメータ法に基づいて測定した値をいう。但し、試験片は１００ｍｍ×１００ｍｍの大きさとし、クリアランスは５ｍｍとする。１枚で縦方向、横方向の各々５回ずつ測定し、その全１０回の平均値とする、なお、ソフトネスは、無単位であるが、試験片の大きさを考慮して、ｃＮ／１００ｍｍを単位として表されることもある。
【００３１】
薄葉紙束２０を構成する薄葉紙２としては、ＪＩＳ  Ｐ  ８１２４（１９９８）で規定される１枚あたりの坪量が９．０〜２０．０ｇ／ｍ2である。
【００３２】
薄葉紙束２０を構成する薄葉紙２としては、ティシュペーパー、ペーパータオル、キッチンペーパーが用いられ、実施形態での厚みが１００〜１７０μｍである。ここで、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろし、そのときのゲージを読み取る。このとき、プランジャーをのせるだけとする。プランジャーの端子は金属製で直径１０ｍｍの円形の平面が紙やフィルムの平面に対し垂直に当たるようにし、この紙厚測定時の荷重は、約７０ｇｆである。測定を１０回行って得られる平均値とする。
【００３３】
フィルム包装袋１０の包装形態としては、可撓性（プラスチック）フィルムの内部に薄葉紙束２０を収納された状態で、幅方向端部１７を熱シール等によりシールしてシール部１９が形成された例えばピロー包装袋（ｐｉｌｌｏｗ  ｔｙｐｅ  ｐａｃｋａｇｉｎｇ）を挙げることができる。
【００３４】
フィルム包装袋１０は、ピロー包装袋以外に、キャラメル包装袋、あるいはガゼット包装袋とすることも可能である。包装形態は、主に収納する組数によって適宜選択できる。ピロー包装袋は可撓性に富み適しているが、厚みのある被包装物や組数が多い場合にはあまり適切ではない。キャラメル包装袋は、包装袋の幅方向両端部（すなわち奥行方向面）の支持が他の包装形態よりも強固であるため撓みにくい利点がある。ガゼット包装は、組数が多い場合に適している。
【００３５】
ピロー包装は、被包装物となる束を外装フィルムで巻き込むように包み、その巻き込み方向において重畳する縁部を接着し、さらに被包装物を越えて延び出した部分をも接着してなる包装態様である。
キャラメル包装は、被包装物となる束を外装フィルムで巻き込むように包み、その巻き込み方向において重畳する縁部を接着し、さらに被包装物を越えて延び出した部分を、対向する２つの縁から前記被包装物側に折り込み、その際に形成される三角形片又は台形片の少なくとも各先端縁部同士を接着部してなる包装態様である。
ガゼット包装は、被包装物を両端開口の筒状体内に挿入し、被包装物を超えて飛び出す両端部を余剰代とし、この余剰代を接着した開口を熱シールにより封止する包装態様である。
ピロータイプのガゼット包装とは、被包装物となる束を外装フィルムで巻き込むように包み、被包装物を超えて飛び出す両端部を余剰代とし、この余剰代を接着した開口を封止する包装態様である。
【００３６】
フィルム包装袋１０を構成する可撓性フィルムとしては、この種のフィルム包装袋１０に用いられる汎用的なものを使用することができ、例えば、ポリプロピレン樹脂フィルム、ポリエチレン樹脂フィルム、ポリエチレンテレフタレート樹脂フィルムを使用することができるが、コストと生産性の面からポリプロピレン樹脂フィルム、ポリエチレン樹脂フィルムが特に良い。可撓性フィルムは、いくつかのフィルムを積層したラミネートフィルムであってもよい。
ポリエチレン樹脂フィルムとしては、直鎖状又は直鎖状短鎖分岐のポリエチレン樹脂組成物のフィルムを用いることができる。ポリエチレンテレフタレートと直鎖状又は直鎖状短鎖分岐のポリエチレン樹脂組成物のラミネートフィルムは好適である。
なお、直鎖状又は直鎖状短鎖分岐のポリエチレン樹脂組成物は、ＬＬＤＰＥとも称され、メタロセン触媒を用いる既知の方法にて製造可能である。このＬＬＤＰＥは、ヒートシール性に優れる。また、他のフィルムとして、ＬＤＰＥと称される汎用性が高く安価なものを用いることもできる。
【００３７】
フィルム包装袋１０を構成する可撓性フィルムは、ＪＩＳ  Ｐ  ８１１８（１９９８）に準拠して測定される厚みを２０〜６０μｍとされており、且つ、ＪＩＳ  Ｌ  １０９６（２０１０）  Ｅ法に準じたハンドルオメータ法に基づいて測定されるソフトネスを５．０〜５０．０ｃＮとされており、より好ましくは、前記厚みを１５〜４０μｍとされ、且つ、前記ソフトネスを１０．０〜３０．０ｃＮとされる。可撓性フィルムの前記厚みが２０μｍ未満であると、使用時に簡単に破れてしまうという問題があり、前記厚みが６０μｍ超過であると、ソフトネスを５０．０ｃＮ以下とすることが困難となる。
【００３８】
他方、フィルム包装袋１０を構成する可撓性フィルムの前記ソフトネスが５０．０ｃＮ超過であると、取出し時にフィルム包装袋１０と薄葉紙２が過度に擦れ、取出し抵抗が増えることで望む効果が得られにくくなる。
【００３９】
なお、前記厚みが６０μｍ以上である可撓性フィルムを形成する場合、可撓性フィルム中に含まれるＬＤＰＥなどの融点が低く、柔らかい性質の材質の配合比率を増やすことで、前記ソフトネスを５０．０ｃＮ以下とすることが好ましい。
【００４０】
〔取出口について〕
本発明の取出口の幅Ｗ３は薄葉紙束２０の幅Ｗ２に対して７８％〜９６％（８６％〜９５％が特に望ましい）であり、取出口の奥行Ｃ３は薄葉紙束２０の奥行Ｃ２に対して１５％〜２８％（１８％〜２５％が特に望ましい）である。
【００４１】
本発明の取出口１５としては、奥行Ｃ３を有する限り、図１〜図５に示す切除により開口している取出口１５、１５Ａ〜１５Ｄ、及び図７（Ｃ）に示す取出口１５Ｊなどの例を挙げることができる。
【００４２】
本発明の取出口１５としては、奥行Ｃ３を有するスリット口による、図６（Ａ）（Ｂ）に示す取出口１５Ｅ、１５Ｆ、及び図７（Ａ）（Ｂ）に示す取出口１５Ｇ、１５Ｈなどの例でもよい。
この場合のスリット口は、予め連続的に形成されていてもよいが、間欠的なミシン目により形成し、使用者が破断することによりスリット口が形成されるものでもよい。
【００４３】
〔取出口形状の実施形態〕
上記第１実施の形態における取出口１５は、図１及び図２（Ａ）、図５（Ａ）に示されているように、幅方向両端部が円弧１５ａ，１５ａである。
【００４４】
取出口の端部形状は適宜選択できる。そして、各端部は、最端縁を中心に含む少なくとも奥行の前後５ｍｍの範囲において、曲率半径が５ｍｍ以上の曲線、あるいは最端縁として５ｍｍ以上の直線部分を有する条件であるのが特に適している。
【００４５】
取出口の幅方向両端部の形状の条件について、図５に基づいて説明する。
すなわち、取出口１５の最端縁（図５の左端の縁）を中心に含む少なくとも奥行Ｃ３範囲のうち、前後５ｍｍの範囲において、曲率半径（図示例における曲率中心はもちろん右側にある）が５ｍｍ以上の曲線、あるいは最端縁そのものが５ｍｍ以上の直線部分を有する条件を満たすことが望ましい。
【００４６】
さらに詳しく説明すると、取出口１５の最端縁（図５の左端の２点鎖線で示す縁）を中心に含む奥行方向の範囲ＣＳのうち、少なくとも奥行方向の前後５ｍｍの範囲において、曲率半径Ｒが５ｍｍ以上の曲線を有するか、あるいは曲線でなく５ｍｍ以上の直線部分を有するものである。
ここに、曲率半径Ｒが５ｍｍ以上の曲線は、曲率半径Ｒが無限大である曲線を含み、曲率半径Ｒが無限大である曲線は直線と実質的に同一となるが、曲率半径Ｒが無限大である曲線と直線とは少なくとも概念が違うため、本明細書において区別して定義している。
【００４７】
取出口１５の最端縁（図５の左端の縁）を中心に含む少なくとも奥行Ｃ３の前後５ｍｍの範囲において、曲率半径が５ｍｍ未満の曲線、あるいは最端縁として５ｍｍ未満の直線部分を有するものは、最端縁近傍において、取出口が鋭角的であることを意味している。
この場合には、鋭角的な最端縁において、ティシュペーパーの取出し抵抗値が大きくなり、取出し性を悪化させる傾向にある。
また、フィルム包装袋１０の材質として、フィルム包装袋の引き裂きが生じ易い（引裂強度が低い）ものであった場合に、薄葉紙の取出し時に取出口の最端縁からフィルム包装袋の引き裂きが生じ易い傾向にある。
【００４８】
したがって、取出口１５の最端縁（図５の左端の縁）を中心に含む少なくとも奥行Ｃ３の前後５ｍｍの範囲において、曲率半径が５ｍｍ以上の曲線、あるいは最端縁として５ｍｍ以上の直線部分を有する条件を満たすことは、取出口１５の奥行Ｃ３が薄葉紙束２０の奥行Ｃ２に対して１５％〜２８％であっても、実施の形態の選択において重視すべき条件である。
【００４９】
図５（Ａ）の取出口１５の端部は円弧であるが、（Ｂ）のように直線部分を有してもよく、（Ｃ）のように最端部のほぼ全体を直線としてもよく、（Ｄ）のように複数の曲率半径（ｒ１、ｒ２、ｒ３・・・）を有する曲線でもよい。
【００５０】
他方、図６（Ａ）（Ｂ）に示す取出口１５Ｅ、１５Ｆのように、端部に円弧などの曲線部を有するスリット口でもよい。この場合、各曲線部は奥行方向に反対側に向いている。
【００５１】
また、図７（Ａ）（Ｂ）に示す取出口１５Ｇ、１５Ｈなどのように、端部の曲線部は奥行方向に同じ方向に向いているものでもよい。
【００５２】
端部を繋ぐ幅方向に沿う中間スリット口は、図６（Ａ）（Ｂ）に示す取出口１５Ｅ、１５Ｆ及び図７（Ａ）に示す取出口１５Ｇでは直線であるが、図７（Ｂ）に示す取出口１５Ｈなどのように、膨らんだ曲線でもよい。
【００５３】
上記例における奥行Ｃ３長さは、図示のとおりである。すなわち、取出口の奥行方向範囲長さを意味している。
【００５４】
なお、図６（Ｂ）の取出口１５Ｆの場合、端部の周長が長く中間スリット口に距離Ｇをもって接近しているが、ティシュペーパーの取出し時における幅方向位置がずれる可能性があり、この観点が推奨できにくい。
また、切除による図７（Ｃ）に示す取出口１５Ｊで示すように、中間取出口の縁は膨らんだ曲線でもよい。
【００５５】
従来例においては、図８に示すように、ミシン目を開封することにより形成するスリット口Ｓを使用するものでは、スリット口Ｓからの取出しを繰り返し、残りの組数が少なくなった場合、薄葉紙束２０の上面とフィルム包装袋１０上面との間の空間が大きくなる。
フィルム包装袋１０の形状が変形しやすいので、現在取り出そうとしている当該組の薄葉紙２とフィルム包装袋１０上面の内面との接触面積が大きくなり、それらの間で生じる摩擦による取出抵抗が大きくなる現象がみられる。すなわち、残りの組数が少なくなった場合、図８に示すように、フィルム包装袋１０上面がスリット口Ｓに向かって山形に変形する。その結果、薄葉紙２とフィルム包装袋１０上面の内面との間で生じる摩擦が広範囲において生じ、取出抵抗値が大きくなり、取出し性を低下させるのである。
【００５６】
本発明においては、図３に示すように、少なくとも奥行方向ＣＤに取出口１５が亘っているので、当該組の薄葉紙２とフィルム包装袋１０上面の内面との接触が抑制でき、残りの組数の減少に応じた取出抵抗値の変化を抑制でき、もって、図３に示すように、フィルム包装袋１０上面の形状変化（フィルム包装袋１０上面の浮き上がり）を抑制できる。その結果、最終組まで取出口１５から安定してティシュペーパーの取出しが可能であるため、薄葉紙の破断や、薄葉紙包装製品１自体が持ち上がることがない。
【００５７】
実施形態の薄葉紙束２０は、方形の薄葉紙が二つ折りされ、その折り返し片の縁が上下に隣接する薄葉紙の折り返し内面に位置するようにして、互い違いに重なり合いつつ積層されたものであり、最上位に位置する一枚の折り返し片を上方に引き上げると、その直下で隣接する他の一枚の折り返し片が、上方に引きずられて持ち上げられる所謂ポップアップ式の薄葉紙束２０となっている。このような薄葉紙束２０は、マルチスタンド式、ロータリ式の既知のインターフォルダにより製造することができる。但し、本発明の薄葉紙束２０は、このようなポップアップ式の薄葉紙束２０に限定されず、二つ折りに畳んだ方形のティシュペーパーを単に積み重ねたものであってもよい。これらの薄葉紙束２０は、その形状が概ね直方体形状となる。
【００５８】
薄葉紙束２０を構成する薄葉紙２の枚数は限定されるものではないが、ティシュペーパー製品では、一般的には２プライ（２枚重ね）を１組として９０〜２４０組であり、本実施形態の薄葉紙包装製品１でも同様に９０〜２４０組とすることができる。
【００５９】
薄葉紙束２０を構成する個々の薄葉紙２は、クレープを有する２枚〜３枚の薄葉紙が積層されて組とされたプライ構造を有する。この薄葉紙２は、乾燥されたドライタイプのもののほか、ポリオール系の薬液が含浸されているウェットタイプのものでもよい。
【００６０】
薄葉紙２を構成する薄葉紙の原料パルプとしては、ＮＢＫＰとＬＢＫＰとを配合したものである。古紙パルプが配合されていてもよいが、風合いなどの点で、ＮＢＫＰとＬＢＫＰのみから構成されているのがよい。配合割合としては、ＮＢＫＰ：ＬＢＫＰ＝２０：８０〜８０：２０がよく、特に、ＮＢＫＰ：ＬＢＫＰ＝３０：７０〜６０：４０がよい。
【００６１】
薄葉紙２の各プライを構成する薄葉紙１枚あたりの坪量は９．０〜２０．０ｇ／ｍ2である。本実施形態の薄葉紙２において好ましい汎用タイプのものは、１０．０〜１４．０ｇ／ｍ2である。ここでの坪量は、ＪＩＳ  Ｐ  ８１２４（１９９８）の測定方法によるものをいう。また、薄葉紙２の紙厚は、２プライの状態で１００〜１７０μｍ、より好ましくは１００〜１４０μｍである。ここでの紙厚は、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて２プライの状態で測定した値をいう。
【００６２】
次に、使用する包装フィルムについて説明する。既述のように、使用する材料として、各種ポリエチレン、ポリプロピレンが好適に用いられる。特にポリプロピレンは、フィルムのコシがあり、ミシン目が開封しやすいことから好ましい。さらに、フィルム包装袋１０は２種類以上のポリエチレンやポリプロピレン層を積層してなる積層フィルムを使用してもよい。具体的な積層構造としては、（１）ＯＰＰ／ＣＰＰの貼り合せ２層構造（ドライラミ）、（２）ＯＰＰ／ＰＥ／ＣＰＰの３層構造、（３）ＰＥ／ＰＥの２層構造等が挙げられる。ここで、ＯＰＰは二軸延伸ポリプロピレン、ＣＰＰは無延伸ポリプロピレン、ＰＥはポリエチレンを示す。ＣＰＰは、融点の異なる２種以上のポリプロピレンを共押出により形成されていることが好ましい。ＰＥとしては、低密度ポリエチレン、直鎖状低密度ポリエチレンなどを用いることができる。
【００６３】
フィルム包装袋１０の厚みは、２０〜６０μｍが好ましく、３０〜５０μｍがより好ましい。フィルム包装袋１０の厚みが上記範囲未満であると、強度が低下して破れやすく、上記範囲を超えると破断線で開封し難くなったり、操業面ではヒートシール処理をきれいに施せない場合がある。
フィルム包装袋１０のＣＤ方向の伸びは、１０〜３００％が好ましく、また、４０〜２５０％がより好ましく、さらには８０〜１５０％がより好ましい。フィルム包装袋１０のＣＤ方向の伸びが上記範囲未満であると、開封時に破断線がシール部を通過して端部に達し、包装体が破れやすくなる場合があり、上記範囲を超えると破断線で開封し難くなる傾向がある。
フィルム包装袋１０のＭＤ方向の引裂強度は、１５０〜８０００ｍＮが好ましく、１０００〜４０００ｍＮがより好ましい。フィルム包装袋１０のＭＤ方向の引裂強度が上記範囲未満であると、開封時に破断線がシール部を通過して端部に達し、包装体が破れやすくなる場合があり、上記範囲を超えると破断線で開封し難くなる傾向がある。
【００６４】
なお、フィルム包装袋１０の坪量は、ＪＩＳ  Ｐ  ８１２４（１９９８）に準拠して測定する。フィルム包装袋１０の厚さは、ＪＩＳ  Ｐ  ８１１８（１９９８）に準拠して測定する。
フィルム包装袋１０のＣＤ方向の引張強度と伸びは、ＪＩＳ  Ｐ  ８１１３（２００６）に準拠して、測定する。なお、引張強度と伸びの測定は、例えば、旧Ｌｏｒｅｎｔｚｅｎ  ＆  Ｗｅｔｔｒｅ社製の引張強度測定器（ＳＥ−０６２）を用いることができる。具体的な測定は、ＭＤ方向の幅が５０ｍｍでＣＤ方向に長い短冊状の試料を用意し、試料の長手方向中央に、ＭＤ方向に沿って長さ４０ｍｍのスリットを入れ、ＣＤ方向に引っ張って測定する。試験片の伸張速度（つかみ具の移動速度）は２０ｍｍ／ｍｉｎ、つかみ具のスパンは１００ｍｍとする。
フィルム包装袋１０のＭＤ方向の引裂強度の測定は、ＪＩＳ  Ｐ  ８１１６（２０００）に準拠して測定する。なお、引裂強度は、例えば、旧Ｌｏｒｅｎｔｚｅｎ  ＆  Ｗｅｔｔｒｅ社製  エルメンドルフ形引裂強度試験器（ＳＥ−００９）を用いることができる。具体的な測定は、ＭＤ方向の幅が６３ｍｍでＣＤ方向に長い短冊状の試料を１枚セットし、引裂強度試験器に備え付けられているナイフで試料の長手方向中央にＭＤ方向に沿って切れ目を入れて、ＭＤ方向に引裂いて測定する。切れ目の長さを２０ｍｍ切り込む。
【００６５】
薄葉紙（ウェブ）の寸法としては、嵩を３０〜１００ｍｍ、幅を１５０〜２５０ｍｍ、奥行を９５〜１２０ｍｍ、収納組数を９０〜２４０組とすることができる。
【００６６】
薄葉紙の取出抵抗値に関し、１０組目の取出抵抗値は６０ｇｆ以下、特に５２ｇｆ以下、さらには５０ｇｆ未満が望ましい。
【００６７】
ここで、取出抵抗値の測定は、下記の順序で行う。
図９に示すように、取出口からポップアップしている薄葉紙２の先端中央部を、クリップ２１(コクヨ社製、商品名：目玉クリップ  クリー１７)で挟持する。具体的には、薄葉紙２の幅方向の辺の中央部かつ取出し方向端部から１０ｍｍの位置に水性ペンで直径１ｍｍ程度の丸印２３を付け、クリップ２１の挟持部分の長手方向が薄葉紙２の幅方向と平行となり、前記挟持部分の中心と丸印２３が一致するように挟持する。
クリップ２１の一方の押圧部２１ａの穴に、プッシュプルゲージ２２（株式会社イマダ製、商品名：デジタルフォースゲージ  ＤＰＳ−２０）のフック２２ａを通し、プッシュプルゲージ２２を上方に引いて、０．４秒〜０．６秒の時間をかけて一定速度で薄葉紙２をフィルム包装袋１０から垂直に取出し、取出し動作中の抵抗値の最大値を、取出抵抗値とする。
測定は最上層から１〜１０組目の薄葉紙２の取出しを１０回行って、各回の１０組目の平均値を算出する。
【実施例】
【００６８】
次に、本発明に係る薄葉紙包装製品１の実施例と比較例とを示し、本発明の効果をより明らかにする。
【００６９】
（市販品）
市販のいずれも１５０組（２枚１組）のティシュペーパーを収納したフィルム包装袋について、「取出抵抗値」及び「フィルム浮き（包装袋持ち上がり）発生組数」で取出し性を評価した。
ここに「取出抵抗値」は、１組目、５組目、１０組目、２５組目、５０組目についてそれぞれ測定したが、取出し性の傾向が明確に判る１０組目の「取出抵抗値」のみについて表に記入した。
また、「フィルム浮き（包装袋持ち上がり）発生組数」は順次取出しを行うにあたり、フィルム包装袋の上面の形状が変化して取出口が変形し、フィルム包装袋の浮き（持ち上がり）が生じ、底面部が机や床などの置き場から完全に浮いた組数をいう。
その他の取出し性については備考に記載した。
表１に示すように、ミシン目を開封することによりスリット口を形成する奥行き０ｍｍのものは、いずれも残組数が少なくなり、製品重量を取出抵抗値が上回った時点で「フィルム浮き」が生じる。
【００７０】
（試作品と比較品の比較）
スリット口の幅方向長さ及び包装形態を変えた試作品と比較品を作成（いずれも１５０組（２枚１組））し、取出し性を評価した。なお、薄葉紙の坪量は１０．９ｇ／ｍ2で共通である。
表１に示すように、取出口の幅方向長さの縮小によって取出抵抗値が増加する傾向がみられる（試作品１と比較品１の比較）。また、比較品２のように更に幅方向長さを縮小、幅方向長さを伸長させることで取出抵抗値を低下させることができるが、幅方向長さが短すぎることでティシュペーパーが窄むことで詰まりが発生した結果であり、フィルム包装袋の浮きが改善できていない。これは、ティシュペーパーの幅方向側縁がスリット口の端に接触してそのときの抵抗が取出抵抗値として加わるものと推測される。
【００７１】
（試作品１〜４）
取出口寸法を一定として、フィルム材質やフィルム膜厚を変えた試作品を作成し、取出し性を評価した。
表１に示すように、取出し口を一定としてフィルム材質とフィルム膜厚が規定内であれば取出抵抗値が抑えられると共にフィルム浮きが発生していないが、過度にフィルムが厚くなることで取出抵抗値が増加し、フィルム浮きが発生する。
【００７２】
（試作品２〜４と比較品４〜５の比較）本発明の規定外となる取出口比率から幅方向を更に大きくした比較品４については取出し口が大きすぎることで中身の薄葉紙束が取出口から出てしまい、最後まで取出すことができない結果となった。また、奥行方向を狭くした比較品５については、取出し性が下がり、フィルム浮きの発生が確認された。
【００７３】
【表１】
2018052559.tif 000003
【符号の説明】
【００７４】
１…薄葉紙包装製品、２…薄葉紙、１０…フィルム包装袋、１５…取出口、１５ａ・・・  、１６…収納空間、１７・・・幅方向端部、１９・・・シール部、２０…薄葉紙束、２１・・・クリップ、２１ａ・・・クリップの押圧部、２２・・・プッシュプルゲージ、２２ａ・・・フック  、２３・・・クリップの丸印、ＷＤ…幅方向、ＣＤ…奥行方向、ＨＤ…嵩高方向、Ｓ・・・スリット口。
【図１】
2018052559.tif 000004
【図２】
2018052559.tif 000005
【図３】
2018052559.tif 000006
【図４】
2018052559.tif 000007
【図５】
2018052559.tif 000008
【図６】
2018052559.tif 000009
【図７】
2018052559.tif 000010
【図８】
2018052559.tif 000011
【図９】
2018052559.tif 000012
【手続補正書】
【提出日】平成29年8月7日(2017.8.7)
【手続補正１】
【補正対象書類名】明細書
【補正対象項目名】全文
【補正方法】変更
【補正の内容】
【発明の詳細な説明】
【技術分野】
【０００１】
本発明は、複数枚の薄葉紙からなる束が柔軟なフィルムによって包装されている薄葉紙包装製品に関する。
【背景技術】
【０００２】
複数枚の家庭用薄葉紙の束が収納容器に収納されている家庭用薄葉紙包装製品はよく知られる。このような家庭用薄葉紙の代表例はティシュペーパーであり、複数枚のティシュペーパーの束が収納容器に収納されているティシュペーパー製品の中には、汎用タイプ、汎用品などと称される、特に低価格であることが重視される商品カテゴリーがある。
【０００３】
このようなティシュペーパー製品では、より安価にすべく原紙の低坪量化や、一枚のシート寸法を縮小化するなど、使用感を維持しつつ原料費を減らすことが行われてきた。
【０００４】
また、ティシュペーパー製品の多くは、収納容器がコートボール紙など比較的剛性のある紙製収納箱とされているが、汎用タイプのティシュペーパー製品の中には、このような収納容器に係る資材費をより削減した、安価な樹脂製のフィルムによって束を包装したものがあり、その市場が拡大しつつある。
【０００５】
他方で、特許文献１が参照されるように、ティシュペーパーの包装フィルムとしては、ポリエチレンやポリプロピレンなどの薄い厚みのフィルムが使用され、包装体の上面に直線状のミシン目を形成しておき、使用時にミシン目を開封した、開封したスリット口からティシュペーパーを取り出すようにしている。
【先行技術文献】
【特許文献】
【０００６】
【特許文献１】特開２０１４−１２９１１３号公報
【発明の概要】
【発明が解決しようとする課題】
【０００７】
しかるに、スリット口からティシュペーパーを取り出す際に、スリット口の特に端部において、取り出そうとしているティシュペーパーが詰まってしまい、場合によっては、後続のティシュペーパーとが重なり詰まってしまい、ティシュペーパーの破れや包装フィルムと共に製品が持ち上がるといった、取出し不良が発生する。
【０００８】
そこで、本発明の主たる課題は、取出し性が改善された薄葉紙包装製品を提供することにある。
【課題を解決するための手段】
【０００９】
上記課題を解決するための本発明に係る薄葉紙包装製品は、
可撓性フィルムから形成されたフィルム包装袋の内部に、多数の薄葉紙がポップアップ式に折り畳み重ねることで構成された薄葉紙束が収納され、前記フィルム包装袋の上面に、前記薄葉紙束の幅方向に沿う取出口が形成されている
薄葉紙包装製品であり、
前記薄葉紙が、ＪＩＳ  Ｌ  １０９６（２０１０）  Ｅ法に準じたハンドルオメータ法に基づいて測定されるソフトネスが１．０〜４．０ｃＮであり、ＪＩＳ  Ｐ  ８１２４（１９９８）に基づいて測定される１枚あたりの坪量が９．０〜２０．０ｇ／ｍ2であり、
前記フィルム包装袋を形成する可撓性フィルムが、ＪＩＳ  Ｐ  ８１１８（１９９８）に準拠して測定される厚みが２０〜６０μｍであり、ＪＩＳ  Ｌ  １０９６（２０１０）  Ｅ法に準じたハンドルオメータ法に基づいて測定されるソフトネスが５．０〜５０．０ｃＮであり、
かつ、前記取出口の幅が薄葉紙束の幅に対して７８％〜９６％であり、前記取出口の奥行は薄葉紙束の奥行に対して１５％〜２８％であり、前記取出口の各端部が、最端縁を中心に含む少なくとも奥行の前後５ｍｍの範囲において、曲率半径が５ｍｍ以上の曲線、あるいは最端縁として５ｍｍ以上の直線部分を有するものである、ことを特徴とする薄葉紙包装製品である。
【００１０】
本発明によれば、フィルム包装袋により包装された薄葉紙の取出し性が改善される。
【００１１】
フィルム包装袋の上面の取出口として、幅方向に沿う直線状のミシン目からなるフィルム包装袋であると、取出口（スリット口）から薄葉紙を１組ごと順次取出し、残りの組数が少なくなった場合、
（１）特に取出口の端部において、取出口からの当該１組の取出しが困難となり、
（２）強引に引き上げると、薄葉紙が破断する、
（３）強引に引き上げると、薄葉紙包装製品自体が持ち上がる、
（４）あるいはその取出しの際に、取出口の端を引き裂いてしまい、取出口の幅が長くなり、取出口の両側縁で薄葉紙の保持する力が弱くなり、薄葉紙の保持性が低下する、
などの現象が生じる。
なお、本発明において、薄葉紙１組とは、実施形態において、１枚または複数プライ（複数枚重ね）となっている形態のことをいい、例えばティシュペーパー製品では、一般的には２プライ（２枚重ね）を１組とすることをいう。
【００１２】
本発明者は、これらの現象を生じさせる要因を突き止めるべく種々の検討を行った。その結果、次のことが根本的な原因であることを知見した。
すなわち、取出口からの取出しを繰り返し、残りの組数が少なくなった場合、薄葉紙束の上面とフィルム上面との間の空間が大きくなるとともに、包装フィルムの形状が変形しやすいので、現在取り出そうとしている当該組の薄葉紙とフィルム上面の内面との接触面積が大きくなり、それらの間で生じる摩擦により取出抵抗が大きくなる現象がみられる。
すなわち、残りの組数が少なくなった場合、フィルム上面が浮いて取出口に向かって山形に変形すると、薄葉紙とフィルム上面の内面との間で生じる摩擦が広範囲において生じる結果、前記の取出抵抗値が大きくなり、前記の（１）の現象が生じるものと考えられる。
【００１３】
本発明は、取出し性を改善するためのものであり、上記（１）の課題を解決しようとするものである。
【００１４】
本発明は、取出口の幅によって取出し性が良好となる。また、本発明ではスリット口ではなく、薄葉紙束の奥行方向に対して１５％〜２８％のある程度大きな奥行きをもった取出口とすることで、取出しに伴う取出抵抗を抑制でき、この面からも取出し性が良好となる。
【００１５】
前記取出口の各端部は、最端縁を中心に含む少なくとも奥行の前後５ｍｍの範囲において、曲率半径が５ｍｍ以上の曲線、あるいは最端縁として５ｍｍ以上の直線部分を有するのが特に望ましい。
【００１６】
取出口は、切除により開口していることが望ましい。切除により取出口が開口していることにより、取出口の側縁と薄葉紙との間の取出抵抗が小さいものとなるからである。
【００１７】
本発明の条件を満たす限り、取出口は、前記幅方向に沿って配されたミシン目によって形成することもできる。上述の切除による場合、切除片を廃棄する必要があり、環境への負荷となる。予めミシン目を形成しておき、使用者が使用時において開封するようにすると、フィルム包装袋内への異物の混入を防止でき、環境への負荷を抑制できる。
【００１８】
取出口は、平面視でＳ字状を示しているものでもよい。
【００１９】
前記取出口の終端が、奥行方向の同じ側に位置しているものでもよい。この「奥行方向の同じ側」の意義については後述する。
【００２０】
使用するフィルムとしては、ポリエチレン及びポリプロピレンの少なくとも一方を材料とすることができる。これらの２種以上の積層構造のものでもよい。
【発明の効果】
【００２１】
本発明によれば、フィルム包装袋により包装された薄葉紙の取出し性を改善できる。
【図面の簡単な説明】
【００２２】
【図１】本発明の実施形態のティシュペーパー包装体の斜視図である。
【図２】（Ａ）は取出口例の平面図、（Ｂ）は図１の２−２線矢視断面図である。
【図３】図１の３−３線矢視断面図である。
【図４】ティシュペーパー包装体からのティシュペーパー取出し状況の斜視図である。
【図５】取出口の例を示す平面図である。
【図６】取出口の他の例を示す平面図である。
【図７】取出口の別の例を示す平面図である。
【図８】スリット口（取出口）の場合におけるティシュペーパー取出し状況の断面図である。
【図９】取出し抵抗値の測定方法を説明する斜視図である。
【発明を実施するための形態】
【００２３】
以下、本発明の実施形態を図面を参照しながら説明する。以下に説明する実施形態としては、特に好適な形態である家庭用薄葉紙がティシュペーパーである例について説明するものである。ただし、本発明における薄葉紙は、ティシュペーパーに限らず、坪量やソフトネス等が規定範囲内であれば、いわゆるキッチンペーパーやペーパータオルであってもよい。
【００２４】
図中に示す矢印ＷＤは幅方向を、矢印ＣＤは奥行方向、矢印ＨＤは嵩高方向をそれぞれ示している。
【００２５】
〔第１実施形態〕
図１〜４に示すものは、本発明に係る薄葉紙包装製品の第１実施形態を示すものである。この薄葉紙包装製品１は、可撓性の樹脂フィルムから形成されたフィルム包装袋１０と、フィルム包装袋１０内部の収納空間１６に収納された薄葉紙束２０とを有している。
【００２６】
かかるフィルム包装袋１０の上面１１の奥行方向中央には、薄葉紙束２０の幅方向ＷＤに沿って取出口１５が形成されている。
フィルム包装袋１０の収納空間１６内に収納された薄葉紙束２０は、多数の薄葉紙２をポップアップ式に折り畳み重ねることで構成されており、全体としては直方体状を成している。図示のように、薄葉紙２は、嵩高方向に折り畳み重ねられており、薄葉紙２の折り畳み重ね方向とフィルム包装袋１０の上面とが対向する形となっている。
薄葉紙２は、１組ごと取出口１５から摘まみ引き上げることにより取出すことができる。
【００２７】
薄葉紙束２０の寸法例としては、幅方向長さＷ２が１５０〜２５０ｍｍ、奥行方向長さＣ２が８０〜１３０ｍｍ、嵩高方向長さＨ２が２５〜１１０ｍｍ程度であり、本実施の形態における薄葉紙束２０の寸法もこの範囲内とすることができる。
【００２８】
フィルム包装袋１０の収納空間１６は、幅方向長さＷ１が薄葉紙束２０の幅方向長さＷ２の１０３〜１３５％とされており、奥行方向長さＣ１が薄葉紙束２０の奥行方向長さＣ２の１０３〜１３５％とされていることが好ましい。収納空間の幅方向長さＷ１及び奥行方向長さＣ１が上記数値範囲内であると、薄葉紙束２０の幅方向両側部及び奥行方向両側部とフィルム包装袋１０内壁との接触部分を少なくすることができ、取出抵抗が少なく、他方で、薄葉紙束２０が収納空間１６内で過度にずれることを防止できる。
【００２９】
一方、フィルム包装袋１０の収納空間１６の嵩高方向長さＨ１は、薄葉紙束２０の嵩高方向長さＨ２の１００〜１３０％とされていることが好ましい。フィルム包装袋１０の収納空間１６の嵩高方向長さＨ１が、薄葉紙束２０の嵩高方向長さＨ２の１３０％超過であると、見栄えが悪くなると共に、フィルム包装袋１０がダブついて薄葉紙２を取出しにくくなってしまう難点がある。
【００３０】
薄葉紙束２０を構成する薄葉紙２としては、ティシュペーパー、ペーパータオル、キッチンペーパーが用いられ、ソフトネスが１．０〜４．０ｃＮである。ここで、ソフトネスは、ＪＩＳ  Ｌ  １０９６（２０１０）  Ｅ法に準じたハンドルオメータ法に基づいて測定した値をいう。但し、試験片は１００ｍｍ×１００ｍｍの大きさとし、クリアランスは５ｍｍとする。１枚で縦方向、横方向の各々５回ずつ測定し、その全１０回の平均値とする、なお、ソフトネスは、無単位であるが、試験片の大きさを考慮して、ｃＮ／１００ｍｍを単位として表されることもある。
【００３１】
薄葉紙束２０を構成する薄葉紙２としては、ＪＩＳ  Ｐ  ８１２４（１９９８）で規定される１枚あたりの坪量が９．０〜２０．０ｇ／ｍ2である。
【００３２】
薄葉紙束２０を構成する薄葉紙２としては、ティシュペーパー、ペーパータオル、キッチンペーパーが用いられ、実施形態での厚みが１００〜１７０μｍである。ここで、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろし、そのときのゲージを読み取る。このとき、プランジャーをのせるだけとする。プランジャーの端子は金属製で直径１０ｍｍの円形の平面が紙やフィルムの平面に対し垂直に当たるようにし、この紙厚測定時の荷重は、約７０ｇｆである。測定を１０回行って得られる平均値とする。
【００３３】
フィルム包装袋１０の包装形態としては、可撓性（プラスチック）フィルムの内部に薄葉紙束２０を収納された状態で、幅方向端部１７を熱シール等によりシールしてシール部１９が形成された例えばピロー包装袋（ｐｉｌｌｏｗ  ｔｙｐｅ  ｐａｃｋａｇｉｎｇ）を挙げることができる。
【００３４】
フィルム包装袋１０は、ピロー包装袋以外に、キャラメル包装袋、あるいはガゼット包装袋とすることも可能である。包装形態は、主に収納する組数によって適宜選択できる。ピロー包装袋は可撓性に富み適しているが、厚みのある被包装物や組数が多い場合にはあまり適切ではない。キャラメル包装袋は、包装袋の幅方向両端部（すなわち奥行方向面）の支持が他の包装形態よりも強固であるため撓みにくい利点がある。ガゼット包装は、組数が多い場合に適している。
【００３５】
ピロー包装は、被包装物となる束を外装フィルムで巻き込むように包み、その巻き込み方向において重畳する縁部を接着し、さらに被包装物を越えて延び出した部分をも接着してなる包装態様である。
キャラメル包装は、被包装物となる束を外装フィルムで巻き込むように包み、その巻き込み方向において重畳する縁部を接着し、さらに被包装物を越えて延び出した部分を、対向する２つの縁から前記被包装物側に折り込み、その際に形成される三角形片又は台形片の少なくとも各先端縁部同士を接着部してなる包装態様である。
ガゼット包装は、被包装物を両端開口の筒状体内に挿入し、被包装物を超えて飛び出す両端部を余剰代とし、この余剰代を接着した開口を熱シールにより封止する包装態様である。
ピロータイプのガゼット包装とは、被包装物となる束を外装フィルムで巻き込むように包み、被包装物を超えて飛び出す両端部を余剰代とし、この余剰代を接着した開口を封止する包装態様である。
【００３６】
フィルム包装袋１０を構成する可撓性フィルムとしては、この種のフィルム包装袋１０に用いられる汎用的なものを使用することができ、例えば、ポリプロピレン樹脂フィルム、ポリエチレン樹脂フィルム、ポリエチレンテレフタレート樹脂フィルムを使用することができるが、コストと生産性の面からポリプロピレン樹脂フィルム、ポリエチレン樹脂フィルムが特に良い。可撓性フィルムは、いくつかのフィルムを積層したラミネートフィルムであってもよい。
ポリエチレン樹脂フィルムとしては、直鎖状又は直鎖状短鎖分岐のポリエチレン樹脂組成物のフィルムを用いることができる。ポリエチレンテレフタレートと直鎖状又は直鎖状短鎖分岐のポリエチレン樹脂組成物のラミネートフィルムは好適である。
なお、直鎖状又は直鎖状短鎖分岐のポリエチレン樹脂組成物は、ＬＬＤＰＥとも称され、メタロセン触媒を用いる既知の方法にて製造可能である。このＬＬＤＰＥは、ヒートシール性に優れる。また、他のフィルムとして、ＬＤＰＥと称される汎用性が高く安価なものを用いることもできる。
【００３７】
フィルム包装袋１０を構成する可撓性フィルムは、ＪＩＳ  Ｐ  ８１１８（１９９８）に準拠して測定される厚みを２０〜６０μｍとされており、且つ、ＪＩＳ  Ｌ  １０９６（２０１０）  Ｅ法に準じたハンドルオメータ法に基づいて測定されるソフトネスを５．０〜５０．０ｃＮとされており、より好ましくは、前記厚みを１５〜４０μｍとされ、且つ、前記ソフトネスを１０．０〜３０．０ｃＮとされる。可撓性フィルムの前記厚みが２０μｍ未満であると、使用時に簡単に破れてしまうという問題があり、前記厚みが６０μｍ超過であると、ソフトネスを５０．０ｃＮ以下とすることが困難となる。
【００３８】
他方、フィルム包装袋１０を構成する可撓性フィルムの前記ソフトネスが５０．０ｃＮ超過であると、取出し時にフィルム包装袋１０と薄葉紙２が過度に擦れ、取出し抵抗が増えることで望む効果が得られにくくなる。
【００３９】
なお、前記厚みが６０μｍ以上である可撓性フィルムを形成する場合、可撓性フィルム中に含まれるＬＤＰＥなどの融点が低く、柔らかい性質の材質の配合比率を増やすことで、前記ソフトネスを５０．０ｃＮ以下とすることが好ましい。
【００４０】
〔取出口について〕
本発明の取出口の幅Ｗ３は薄葉紙束２０の幅Ｗ２に対して７８％〜９６％（８６％〜９５％が特に望ましい）であり、取出口の奥行Ｃ３は薄葉紙束２０の奥行Ｃ２に対して１５％〜２８％（１８％〜２５％が特に望ましい）である。
【００４１】
本発明の取出口１５としては、奥行Ｃ３を有する限り、図１〜図５に示す切除により開口している取出口１５、１５Ａ〜１５Ｄ、及び図７（Ｃ）に示す取出口１５Ｊなどの例を挙げることができる。
【００４２】
本発明の取出口１５としては、奥行Ｃ３を有するスリット口による、図６（Ａ）（Ｂ）に示す取出口１５Ｅ、１５Ｆ、及び図７（Ａ）（Ｂ）に示す取出口１５Ｇ、１５Ｈなどの例でもよい。
この場合のスリット口は、予め連続的に形成されていてもよいが、間欠的なミシン目により形成し、使用者が破断することによりスリット口が形成されるものでもよい。
【００４３】
〔取出口形状の実施形態〕
上記第１実施の形態における取出口１５は、図１及び図２（Ａ）、図５（Ａ）に示されているように、幅方向両端部が円弧１５ａ，１５ａである。
【００４４】
取出口の端部形状は適宜選択できる。そして、各端部は、最端縁を中心に含む少なくとも奥行の前後５ｍｍの範囲において、曲率半径が５ｍｍ以上の曲線、あるいは最端縁として５ｍｍ以上の直線部分を有する条件であるのが特に適している。
【００４５】
取出口の幅方向両端部の形状の条件について、図５に基づいて説明する。
すなわち、取出口１５の最端縁（図５の左端の縁）を中心に含む少なくとも奥行Ｃ３範囲のうち、前後５ｍｍの範囲において、曲率半径（図示例における曲率中心はもちろん右側にある）が５ｍｍ以上の曲線、あるいは最端縁そのものが５ｍｍ以上の直線部分を有する条件を満たすことが望ましい。
【００４６】
さらに詳しく説明すると、取出口１５の最端縁（図５の左端の２点鎖線で示す縁）を中心に含む奥行方向の範囲ＣＳのうち、少なくとも奥行方向の前後５ｍｍの範囲において、曲率半径Ｒが５ｍｍ以上の曲線を有するか、あるいは曲線でなく５ｍｍ以上の直線部分を有するものである。
ここに、曲率半径Ｒが５ｍｍ以上の曲線は、曲率半径Ｒが無限大である曲線を含み、曲率半径Ｒが無限大である曲線は直線と実質的に同一となるが、曲率半径Ｒが無限大である曲線と直線とは少なくとも概念が違うため、本明細書において区別して定義している。
【００４７】
取出口１５の最端縁（図５の左端の縁）を中心に含む少なくとも奥行Ｃ３の前後５ｍｍの範囲において、曲率半径が５ｍｍ未満の曲線、あるいは最端縁として５ｍｍ未満の直線部分を有するものは、最端縁近傍において、取出口が鋭角的であることを意味している。
この場合には、鋭角的な最端縁において、ティシュペーパーの取出し抵抗値が大きくなり、取出し性を悪化させる傾向にある。
また、フィルム包装袋１０の材質として、フィルム包装袋の引き裂きが生じ易い（引裂強度が低い）ものであった場合に、薄葉紙の取出し時に取出口の最端縁からフィルム包装袋の引き裂きが生じ易い傾向にある。
【００４８】
したがって、取出口１５の最端縁（図５の左端の縁）を中心に含む少なくとも奥行Ｃ３の前後５ｍｍの範囲において、曲率半径が５ｍｍ以上の曲線、あるいは最端縁として５ｍｍ以上の直線部分を有する条件を満たすことは、取出口１５の奥行Ｃ３が薄葉紙束２０の奥行Ｃ２に対して１５％〜２８％であっても、実施の形態の選択において重視すべき条件である。
【００４９】
図５（Ａ）の取出口１５の端部は円弧であるが、（Ｂ）のように直線部分を有してもよく、（Ｃ）のように最端部のほぼ全体を直線としてもよく、（Ｄ）のように複数の曲率半径（ｒ１、ｒ２、ｒ３・・・）を有する曲線でもよい。
【００５０】
他方、図６（Ａ）（Ｂ）に示す取出口１５Ｅ、１５Ｆのように、端部に円弧などの曲線部を有するスリット口でもよい。この場合、各曲線部は奥行方向に反対側に向いている。
【００５１】
また、図７（Ａ）（Ｂ）に示す取出口１５Ｇ、１５Ｈなどのように、端部の曲線部は奥行方向に同じ方向に向いているものでもよい。
【００５２】
端部を繋ぐ幅方向に沿う中間スリット口は、図６（Ａ）（Ｂ）に示す取出口１５Ｅ、１５Ｆ及び図７（Ａ）に示す取出口１５Ｇでは直線であるが、図７（Ｂ）に示す取出口１５Ｈなどのように、膨らんだ曲線でもよい。
【００５３】
上記例における奥行Ｃ３長さは、図示のとおりである。すなわち、取出口の奥行方向範囲長さを意味している。
【００５４】
なお、図６（Ｂ）の取出口１５Ｆの場合、端部の周長が長く中間スリット口に距離Ｇをもって接近しているが、ティシュペーパーの取出し時における幅方向位置がずれる可能性があり、この観点が推奨できにくい。
また、切除による図７（Ｃ）に示す取出口１５Ｊで示すように、中間取出口の縁は膨らんだ曲線でもよい。
【００５５】
従来例においては、図８に示すように、ミシン目を開封することにより形成するスリット口Ｓを使用するものでは、スリット口Ｓからの取出しを繰り返し、残りの組数が少なくなった場合、薄葉紙束２０の上面とフィルム包装袋１０上面との間の空間が大きくなる。
フィルム包装袋１０の形状が変形しやすいので、現在取り出そうとしている当該組の薄葉紙２とフィルム包装袋１０上面の内面との接触面積が大きくなり、それらの間で生じる摩擦による取出抵抗が大きくなる現象がみられる。すなわち、残りの組数が少なくなった場合、図８に示すように、フィルム包装袋１０上面がスリット口Ｓに向かって山形に変形する。その結果、薄葉紙２とフィルム包装袋１０上面の内面との間で生じる摩擦が広範囲において生じ、取出抵抗値が大きくなり、取出し性を低下させるのである。
【００５６】
本発明においては、図３に示すように、少なくとも奥行方向ＣＤに取出口１５が亘っているので、当該組の薄葉紙２とフィルム包装袋１０上面の内面との接触が抑制でき、残りの組数の減少に応じた取出抵抗値の変化を抑制でき、もって、図３に示すように、フィルム包装袋１０上面の形状変化（フィルム包装袋１０上面の浮き上がり）を抑制できる。その結果、最終組まで取出口１５から安定してティシュペーパーの取出しが可能であるため、薄葉紙の破断や、薄葉紙包装製品１自体が持ち上がることがない。
【００５７】
実施形態の薄葉紙束２０は、方形の薄葉紙が二つ折りされ、その折り返し片の縁が上下に隣接する薄葉紙の折り返し内面に位置するようにして、互い違いに重なり合いつつ積層されたものであり、最上位に位置する一枚の折り返し片を上方に引き上げると、その直下で隣接する他の一枚の折り返し片が、上方に引きずられて持ち上げられる所謂ポップアップ式の薄葉紙束２０となっている。このような薄葉紙束２０は、マルチスタンド式、ロータリ式の既知のインターフォルダにより製造することができる。但し、本発明の薄葉紙束２０は、このようなポップアップ式の薄葉紙束２０に限定されず、二つ折りに畳んだ方形のティシュペーパーを単に積み重ねたものであってもよい。これらの薄葉紙束２０は、その形状が概ね直方体形状となる。
【００５８】
薄葉紙束２０を構成する薄葉紙２の枚数は限定されるものではないが、ティシュペーパー製品では、一般的には２プライ（２枚重ね）を１組として９０〜２４０組であり、本実施形態の薄葉紙包装製品１でも同様に９０〜２４０組とすることができる。
【００５９】
薄葉紙束２０を構成する個々の薄葉紙２は、クレープを有する２枚〜３枚の薄葉紙が積層されて組とされたプライ構造を有する。この薄葉紙２は、乾燥されたドライタイプのもののほか、ポリオール系の薬液が含浸されているウェットタイプのものでもよい。
【００６０】
薄葉紙２を構成する薄葉紙の原料パルプとしては、ＮＢＫＰとＬＢＫＰとを配合したものである。古紙パルプが配合されていてもよいが、風合いなどの点で、ＮＢＫＰとＬＢＫＰのみから構成されているのがよい。配合割合としては、ＮＢＫＰ：ＬＢＫＰ＝２０：８０〜８０：２０がよく、特に、ＮＢＫＰ：ＬＢＫＰ＝３０：７０〜６０：４０がよい。
【００６１】
薄葉紙２の各プライを構成する薄葉紙１枚あたりの坪量は９．０〜２０．０ｇ／ｍ2である。本実施形態の薄葉紙２において好ましい汎用タイプのものは、１０．０〜１４．０ｇ／ｍ2である。ここでの坪量は、ＪＩＳ  Ｐ  ８１２４（１９９８）の測定方法によるものをいう。また、薄葉紙２の紙厚は、２プライの状態で１００〜１７０μｍ、より好ましくは１００〜１４０μｍである。ここでの紙厚は、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて２プライの状態で測定した値をいう。
【００６２】
次に、使用する包装フィルムについて説明する。既述のように、使用する材料として、各種ポリエチレン、ポリプロピレンが好適に用いられる。特にポリプロピレンは、フィルムのコシがあり、ミシン目が開封しやすいことから好ましい。さらに、フィルム包装袋１０は２種類以上のポリエチレンやポリプロピレン層を積層してなる積層フィルムを使用してもよい。具体的な積層構造としては、（１）ＯＰＰ／ＣＰＰの貼り合せ２層構造（ドライラミ）、（２）ＯＰＰ／ＰＥ／ＣＰＰの３層構造、（３）ＰＥ／ＰＥの２層構造等が挙げられる。ここで、ＯＰＰは二軸延伸ポリプロピレン、ＣＰＰは無延伸ポリプロピレン、ＰＥはポリエチレンを示す。ＣＰＰは、融点の異なる２種以上のポリプロピレンを共押出により形成されていることが好ましい。ＰＥとしては、低密度ポリエチレン、直鎖状低密度ポリエチレンなどを用いることができる。
【００６３】
フィルム包装袋１０の厚みは、２０〜６０μｍが好ましく、３０〜５０μｍがより好ましい。フィルム包装袋１０の厚みが上記範囲未満であると、強度が低下して破れやすく、上記範囲を超えると破断線で開封し難くなったり、操業面ではヒートシール処理をきれいに施せない場合がある。
フィルム包装袋１０のＣＤ方向の伸びは、１０〜３００％が好ましく、また、４０〜２５０％がより好ましく、さらには８０〜１５０％がより好ましい。フィルム包装袋１０のＣＤ方向の伸びが上記範囲未満であると、開封時に破断線がシール部を通過して端部に達し、包装体が破れやすくなる場合があり、上記範囲を超えると破断線で開封し難くなる傾向がある。
フィルム包装袋１０のＭＤ方向の引裂強度は、１５０〜８０００ｍＮが好ましく、１０００〜４０００ｍＮがより好ましい。フィルム包装袋１０のＭＤ方向の引裂強度が上記範囲未満であると、開封時に破断線がシール部を通過して端部に達し、包装体が破れやすくなる場合があり、上記範囲を超えると破断線で開封し難くなる傾向がある。
【００６４】
なお、フィルム包装袋１０の坪量は、ＪＩＳ  Ｐ  ８１２４（１９９８）に準拠して測定する。フィルム包装袋１０の厚さは、ＪＩＳ  Ｐ  ８１１８（１９９８）に準拠して測定する。
フィルム包装袋１０のＣＤ方向の引張強度と伸びは、ＪＩＳ  Ｐ  ８１１３（２００６）に準拠して、測定する。なお、引張強度と伸びの測定は、例えば、旧Ｌｏｒｅｎｔｚｅｎ  ＆  Ｗｅｔｔｒｅ社製の引張強度測定器（ＳＥ−０６２）を用いることができる。具体的な測定は、ＭＤ方向の幅が５０ｍｍでＣＤ方向に長い短冊状の試料を用意し、試料の長手方向中央に、ＭＤ方向に沿って長さ４０ｍｍのスリットを入れ、ＣＤ方向に引っ張って測定する。試験片の伸張速度（つかみ具の移動速度）は２０ｍｍ／ｍｉｎ、つかみ具のスパンは１００ｍｍとする。
フィルム包装袋１０のＭＤ方向の引裂強度の測定は、ＪＩＳ  Ｐ  ８１１６（２０００）に準拠して測定する。なお、引裂強度は、例えば、旧Ｌｏｒｅｎｔｚｅｎ  ＆  Ｗｅｔｔｒｅ社製  エルメンドルフ形引裂強度試験器（ＳＥ−００９）を用いることができる。具体的な測定は、ＭＤ方向の幅が６３ｍｍでＣＤ方向に長い短冊状の試料を１枚セットし、引裂強度試験器に備え付けられているナイフで試料の長手方向中央にＭＤ方向に沿って切れ目を入れて、ＭＤ方向に引裂いて測定する。切れ目の長さを２０ｍｍ切り込む。
【００６５】
薄葉紙（ウェブ）の寸法としては、嵩を３０〜１００ｍｍ、幅を１５０〜２５０ｍｍ、奥行を９５〜１２０ｍｍ、収納組数を９０〜２４０組とすることができる。
【００６６】
薄葉紙の取出抵抗値に関し、１０組目の取出抵抗値は６０ｇｆ以下、特に５２ｇｆ以下、さらには５０ｇｆ未満が望ましい。
【００６７】
ここで、取出抵抗値の測定は、下記の順序で行う。
図９に示すように、取出口からポップアップしている薄葉紙２の先端中央部を、クリップ２１(コクヨ社製、商品名：目玉クリップ  クリー１７)で挟持する。具体的には、薄葉紙２の幅方向の辺の中央部かつ取出し方向端部から１０ｍｍの位置に水性ペンで直径１ｍｍ程度の丸印２３を付け、クリップ２１の挟持部分の長手方向が薄葉紙２の幅方向と平行となり、前記挟持部分の中心と丸印２３が一致するように挟持する。
クリップ２１の一方の押圧部２１ａの穴に、プッシュプルゲージ２２（株式会社イマダ製、商品名：デジタルフォースゲージ  ＤＰＳ−２０）のフック２２ａを通し、プッシュプルゲージ２２を上方に引いて、０．４秒〜０．６秒の時間をかけて一定速度で薄葉紙２をフィルム包装袋１０から垂直に取出し、取出し動作中の抵抗値の最大値を、取出抵抗値とする。
測定は最上層から１〜１０組目の薄葉紙２の取出しを１０回行って、各回の１０組目の平均値を算出する。
【実施例】
【００６８】
次に、本発明に係る薄葉紙包装製品１の実施例と比較例とを示し、本発明の効果をより明らかにする。
【００６９】
（市販品）
市販のいずれも１５０組（２枚１組）のティシュペーパーを収納したフィルム包装袋について、「取出抵抗値」及び「フィルム浮き（包装袋持ち上がり）発生組数」で取出し性を評価した。
ここに「取出抵抗値」は、１組目、５組目、１０組目、２５組目、５０組目についてそれぞれ測定したが、取出し性の傾向が明確に判る１０組目の「取出抵抗値」のみについて表に記入した。
また、「フィルム浮き（包装袋持ち上がり）発生組数」は順次取出しを行うにあたり、フィルム包装袋の上面の形状が変化して取出口が変形し、フィルム包装袋の浮き（持ち上がり）が生じ、底面部が机や床などの置き場から完全に浮いた組数をいう。
その他の取出し性については備考に記載した。
表１に示すように、ミシン目を開封することによりスリット口を形成する奥行き０ｍｍのものは、いずれも残組数が少なくなり、製品重量を取出抵抗値が上回った時点で「フィルム浮き」が生じる。
【００７０】
（試作品と比較品の比較）
スリット口の幅方向長さ及び包装形態を変えた試作品と比較品を作成（いずれも１５０組（２枚１組））し、取出し性を評価した。なお、薄葉紙の坪量は１０．９ｇ／ｍ2で共通である。
表１に示すように、取出口の幅方向長さの縮小によって取出抵抗値が増加する傾向がみられる（試作品１と比較品１の比較）。また、比較品２のように更に幅方向長さを縮小、幅方向長さを伸長させることで取出抵抗値を低下させることができるが、幅方向長さが短すぎることでティシュペーパーが窄むことで詰まりが発生した結果であり、フィルム包装袋の浮きが改善できていない。これは、ティシュペーパーの幅方向側縁がスリット口の端に接触してそのときの抵抗が取出抵抗値として加わるものと推測される。
【００７１】
（試作品１〜４）
取出口寸法を一定として、フィルム材質やフィルム膜厚を変えた試作品を作成し、取出し性を評価した。
表１に示すように、取出し口を一定としてフィルム材質とフィルム膜厚が規定内であれば取出抵抗値が抑えられると共にフィルム浮きが発生していないが、過度にフィルムが厚くなることで取出抵抗値が増加し、フィルム浮きが発生する。
【００７２】
（試作品２〜４と比較品４〜５の比較）本発明の規定外となる取出口比率から幅方向を更に大きくした比較品４については取出し口が大きすぎることで中身の薄葉紙束が取出口から出てしまい、最後まで取出すことができない結果となった。また、奥行方向を狭くした比較品５については、取出し性が下がり、フィルム浮きの発生が確認された。
【００７３】
【表１】
2018052559.tif 000013
【符号の説明】
【００７４】
１…薄葉紙包装製品、２…薄葉紙、１０…フィルム包装袋、１５…取出口、１５ａ・・・  、１６…収納空間、１７・・・幅方向端部、１９・・・シール部、２０…薄葉紙束、２１・・・クリップ、２１ａ・・・クリップの押圧部、２２・・・プッシュプルゲージ、２２ａ・・・フック  、２３・・・クリップの丸印、ＷＤ…幅方向、ＣＤ…奥行方向、ＨＤ…嵩高方向、Ｓ・・・スリット口。
【手続補正２】
【補正対象書類名】特許請求の範囲
【補正対象項目名】全文
【補正方法】変更
【補正の内容】
【特許請求の範囲】
【請求項１】
可撓性フィルムから形成されたフィルム包装袋の内部に、多数の薄葉紙がポップアップ式に折り畳み重ねることで構成された薄葉紙束が収納され、前記フィルム包装袋の上面に、前記薄葉紙束の幅方向に沿う取出口が形成されている
薄葉紙包装製品であり、
前記薄葉紙が、ＪＩＳ  Ｌ  １０９６（２０１０）  Ｅ法に準じたハンドルオメータ法に基づいて測定されるソフトネスが１．０〜４．０ｃＮであり、ＪＩＳ  Ｐ  ８１２４（１９９８）に基づいて測定される１枚あたりの坪量が９．０〜２０．０ｇ／ｍ2であり、
前記フィルム包装袋を形成する可撓性フィルムが、ＪＩＳ  Ｐ  ８１１８（１９９８）に準拠して測定される厚みが２０〜６０μｍであり、ＪＩＳ  Ｌ  １０９６（２０１０）  Ｅ法に準じたハンドルオメータ法に基づいて測定されるソフトネスが５．０〜５０．０ｃＮであり、
かつ、前記取出口の幅が薄葉紙束の幅に対して７８％〜９６％であり、前記取出口の奥行は薄葉紙束の奥行に対して１５％〜２８％であり、前記取出口の各端部が、最端縁を中心に含む少なくとも奥行の前後５ｍｍの範囲において、曲率半径が５ｍｍ以上の曲線、あるいは最端縁として５ｍｍ以上の直線部分を有するものである、ことを特徴とする薄葉紙包装製品。
【請求項２】
前記取出口は、切除により開口している請求項１に記載の薄葉紙包装製品。
【請求項３】
前記取出口は、前記幅方向に沿って配されたスリットによって形成されている請求項１に記載の薄葉紙包装製品。
【請求項４】
前記取出口は、平面視でＳ字状を示している請求項３に記載の薄葉紙包装製品。
【請求項５】
前記取出口は、端部に曲線部を有し、その曲線部は奥行の同方向に向かって反る形状である請求項３に記載の薄葉紙包装製品。
【請求項６】
前記フィルムは、ポリエチレン及びポリプロピレンの少なくとも一方を材料としている  請求項１に記載の薄葉紙包装製品。
【手続補正書】
【提出日】平成29年12月1日(2017.12.1)
【手続補正１】
【補正対象書類名】明細書
【補正対象項目名】全文
【補正方法】変更
【補正の内容】
【発明の詳細な説明】
【技術分野】
【０００１】
本発明は、複数枚のティシュペーパーからなる束が柔軟なフィルムによって包装されているティシュペーパー包装製品に関する。
【背景技術】
【０００２】
複数枚の家庭用薄葉紙の束が収納容器に収納されている家庭用薄葉紙包装製品はよく知られる。このような家庭用薄葉紙の代表例はティシュペーパーであり、複数枚のティシュペーパーの束が収納容器に収納されているティシュペーパー製品の中には、汎用タイプ、汎用品などと称される、特に低価格であることが重視される商品カテゴリーがある。
【０００３】
このようなティシュペーパー製品では、より安価にすべく原紙の低坪量化や、一枚のシート寸法を縮小化するなど、使用感を維持しつつ原料費を減らすことが行われてきた。
【０００４】
また、ティシュペーパー製品の多くは、収納容器がコートボール紙など比較的剛性のある紙製収納箱とされているが、汎用タイプのティシュペーパー製品の中には、このような収納容器に係る資材費をより削減した、安価な樹脂製のフィルムによって束を包装したものがあり、その市場が拡大しつつある。
【０００５】
他方で、特許文献１が参照されるように、ティシュペーパーの包装フィルムとしては、ポリエチレンやポリプロピレンなどの薄い厚みのフィルムが使用され、包装体の上面に直線状のミシン目を形成しておき、使用時にミシン目を開封した、開封したスリット口からティシュペーパーを取り出すようにしている。
【先行技術文献】
【特許文献】
【０００６】
【特許文献１】特開２０１４−１２９１１３号公報
【発明の概要】
【発明が解決しようとする課題】
【０００７】
しかるに、スリット口からティシュペーパーを取り出す際に、スリット口の特に端部において、取り出そうとしているティシュペーパーが詰まってしまい、場合によっては、後続のティシュペーパーとが重なり詰まってしまい、ティシュペーパーの破れや包装フィルムと共に製品が持ち上がるといった、取出し不良が発生する。
【０００８】
そこで、本発明の主たる課題は、取出し性が改善されたティシュペーパー包装製品を提供することにある。
【課題を解決するための手段】
【０００９】
上記課題を解決するための本発明に係るティシュペーパー包装製品は、
可撓性フィルムから形成されたフィルム包装袋の内部に、多数のティシュペーパーがポップアップ式に折り畳み重ねることで構成されたティシュペーパーの束が収納され、前記フィルム包装袋の上面に、前記ティシュペーパーの束の幅方向に沿う取出口が形成されているティシュペーパー包装製品であり、
前記ティシュペーパーは、ＪＩＳ  Ｌ  １０９６（２０１０）  Ｅ法に準じたハンドルオメータ法に基づいて測定されるソフトネスが１．０〜４．０ｃＮであり、ＪＩＳ  Ｐ  ８１２４（１９９８）に基づいて測定される１枚あたりの坪量が１０．０〜１４．０ｇ／ｍ2であり、
前記フィルム包装袋を形成する可撓性フィルムは、ＪＩＳ  Ｐ  ８１１８（１９９８）に準拠して測定される厚みが２０〜６０μｍであり、ＪＩＳ  Ｌ  １０９６（２０１０）  Ｅ法に準じたハンドルオメータ法に基づいて測定されるソフトネスが５．０〜５０．０ｃＮであり、
フィルム包装袋の収納空間は、幅方向長さがティシュペーパーの束の幅方向長さの１０３〜１３５％であり、奥行方向長さがティシュペーパー束の奥行方向長さの１０３〜１３５％であり、
前記取出口は、その幅がティシュペーパーの束の幅に対して７８％〜９６％であり、奥行がティシュペーパーの束の奥行に対して１５％〜２８％であり、幅方向両端部が、最端縁を中心に含む少なくとも奥行の前後５ｍｍの範囲において、曲率半径が５ｍｍ以上の曲線、あるいは最端縁として５ｍｍ以上の直線部分を有するものである、
ことを特徴とするティシュペーパー包装製品。
【００１０】
本発明によれば、フィルム包装袋により包装されたティシュペーパーである薄葉紙の取出し性が改善される。
【００１１】
フィルム包装袋の上面の取出口として、幅方向に沿う直線状のミシン目からなるフィルム包装袋であると、取出口（スリット口）から薄葉紙を１組ごと順次取出し、残りの組数が少なくなった場合、
（１）特に取出口の端部において、取出口からの当該１組の取出しが困難となり、
（２）強引に引き上げると、薄葉紙が破断する、
（３）強引に引き上げると、薄葉紙包装製品自体が持ち上がる、
（４）あるいはその取出しの際に、取出口の端を引き裂いてしまい、取出口の幅が長くなり、取出口の両側縁で薄葉紙の保持する力が弱くなり、薄葉紙の保持性が低下する、
などの現象が生じる。
なお、本発明において、薄葉紙１組とは、実施形態において、１枚または複数プライ（複数枚重ね）となっている形態のことをいい、例えばティシュペーパー製品では、一般的には２プライ（２枚重ね）を１組とすることをいう。
【００１２】
本発明者は、これらの現象を生じさせる要因を突き止めるべく種々の検討を行った。その結果、次のことが根本的な原因であることを知見した。
すなわち、取出口からの取出しを繰り返し、残りの組数が少なくなった場合、薄葉紙束の上面とフィルム上面との間の空間が大きくなるとともに、包装フィルムの形状が変形しやすいので、現在取り出そうとしている当該組の薄葉紙とフィルム上面の内面との接触面積が大きくなり、それらの間で生じる摩擦により取出抵抗が大きくなる現象がみられる。
すなわち、残りの組数が少なくなった場合、フィルム上面が浮いて取出口に向かって山形に変形すると、薄葉紙とフィルム上面の内面との間で生じる摩擦が広範囲において生じる結果、前記の取出抵抗値が大きくなり、前記の（１）の現象が生じるものと考えられる。
【００１３】
本発明は、取出し性を改善するためのものであり、上記（１）の課題を解決しようとするものである。
【００１４】
本発明は、取出口の幅によって取出し性が良好となる。また、本発明ではスリット口ではなく、薄葉紙束の奥行方向に対して１５％〜２８％のある程度大きな奥行きをもった取出口とすることで、取出しに伴う取出抵抗を抑制でき、この面からも取出し性が良好となる。
【００１５】
前記取出口の各端部は、最端縁を中心に含む少なくとも奥行の前後５ｍｍの範囲において、曲率半径が５ｍｍ以上の曲線、あるいは最端縁として５ｍｍ以上の直線部分を有するのが特に望ましい。
【００１６】
取出口は、切除により開口していることが望ましい。切除により取出口が開口していることにより、取出口の側縁と薄葉紙との間の取出抵抗が小さいものとなるからである。
【００１７】
本発明の条件を満たす限り、取出口は、前記幅方向に沿って配されたミシン目によって形成することもできる。上述の切除による場合、切除片を廃棄する必要があり、環境への負荷となる。予めミシン目を形成しておき、使用者が使用時において開封するようにすると、フィルム包装袋内への異物の混入を防止でき、環境への負荷を抑制できる。
【００１８】
取出口は、平面視でＳ字状を示しているものでもよい。
【００１９】
前記取出口の終端が、奥行方向の同じ側に位置しているものでもよい。この「奥行方向の同じ側」の意義については後述する。
【００２０】
使用するフィルムとしては、ポリエチレン及びポリプロピレンの少なくとも一方を材料とすることができる。これらの２種以上の積層構造のものでもよい。
【発明の効果】
【００２１】
本発明によれば、フィルム包装袋により包装された薄葉紙の取出し性を改善できる。
【図面の簡単な説明】
【００２２】
【図１】本発明の実施形態のティシュペーパー包装体の斜視図である。
【図２】（Ａ）は取出口例の平面図、（Ｂ）は図１の２−２線矢視断面図である。
【図３】図１の３−３線矢視断面図である。
【図４】ティシュペーパー包装体からのティシュペーパー取出し状況の斜視図である。
【図５】取出口の例を示す平面図である。
【図６】取出口の他の例を示す平面図である。
【図７】取出口の別の例を示す平面図である。
【図８】スリット口（取出口）の場合におけるティシュペーパー取出し状況の断面図である。
【図９】取出し抵抗値の測定方法を説明する斜視図である。
【発明を実施するための形態】
【００２３】
以下、本発明の実施形態を図面を参照しながら説明する。以下に説明する実施形態の薄葉紙はティシュペーパーである。
【００２４】
図中に示す矢印ＷＤは幅方向を、矢印ＣＤは奥行方向、矢印ＨＤは嵩高方向をそれぞれ示している。
【００２５】
〔第１実施形態〕
図１〜４に示すものは、本発明に係る薄葉紙包装製品の第１実施形態を示すものである。この薄葉紙包装製品１は、可撓性の樹脂フィルムから形成されたフィルム包装袋１０と、フィルム包装袋１０内部の収納空間１６に収納された薄葉紙束２０とを有している。
【００２６】
かかるフィルム包装袋１０の上面１１の奥行方向中央には、薄葉紙束２０の幅方向ＷＤに沿って取出口１５が形成されている。
フィルム包装袋１０の収納空間１６内に収納された薄葉紙束２０は、多数の薄葉紙２をポップアップ式に折り畳み重ねることで構成されており、全体としては直方体状を成している。図示のように、薄葉紙２は、嵩高方向に折り畳み重ねられており、薄葉紙２の折り畳み重ね方向とフィルム包装袋１０の上面とが対向する形となっている。
薄葉紙２は、１組ごと取出口１５から摘まみ引き上げることにより取出すことができる。
【００２７】
薄葉紙束２０の寸法例としては、幅方向長さＷ２が１５０〜２５０ｍｍ、奥行方向長さＣ２が８０〜１３０ｍｍ、嵩高方向長さＨ２が２５〜１１０ｍｍ程度であり、本実施の形態における薄葉紙束２０の寸法もこの範囲内とすることができる。
【００２８】
フィルム包装袋１０の収納空間１６は、幅方向長さＷ１が薄葉紙束２０の幅方向長さＷ２の１０３〜１３５％とされており、奥行方向長さＣ１が薄葉紙束２０の奥行方向長さＣ２の１０３〜１３５％とされていることが好ましい。収納空間の幅方向長さＷ１及び奥行方向長さＣ１が上記数値範囲内であると、薄葉紙束２０の幅方向両側部及び奥行方向両側部とフィルム包装袋１０内壁との接触部分を少なくすることができ、取出抵抗が少なく、他方で、薄葉紙束２０が収納空間１６内で過度にずれることを防止できる。
【００２９】
一方、フィルム包装袋１０の収納空間１６の嵩高方向長さＨ１は、薄葉紙束２０の嵩高方向長さＨ２の１００〜１３０％とされていることが好ましい。フィルム包装袋１０の収納空間１６の嵩高方向長さＨ１が、薄葉紙束２０の嵩高方向長さＨ２の１３０％超過であると、見栄えが悪くなると共に、フィルム包装袋１０がダブついて薄葉紙２を取出しにくくなってしまう難点がある。
【００３０】
薄葉紙束２０を構成する薄葉紙２としては、ティシュペーパー、ペーパータオル、キッチンペーパーが用いられ、ソフトネスが１．０〜４．０ｃＮである。ここで、ソフトネスは、ＪＩＳ  Ｌ  １０９６（２０１０）  Ｅ法に準じたハンドルオメータ法に基づいて測定した値をいう。但し、試験片は１００ｍｍ×１００ｍｍの大きさとし、クリアランスは５ｍｍとする。１枚で縦方向、横方向の各々５回ずつ測定し、その全１０回の平均値とする、なお、ソフトネスは、無単位であるが、試験片の大きさを考慮して、ｃＮ／１００ｍｍを単位として表されることもある。
【００３１】
薄葉紙束２０を構成する薄葉紙２としては、ＪＩＳ  Ｐ  ８１２４（１９９８）で規定される１枚あたりの坪量が９．０〜２０．０ｇ／ｍ2である。
【００３２】
薄葉紙束２０を構成する薄葉紙２としては、ティシュペーパー、ペーパータオル、キッチンペーパーが用いられ、実施形態での厚みが１００〜１７０μｍである。ここで、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろし、そのときのゲージを読み取る。このとき、プランジャーをのせるだけとする。プランジャーの端子は金属製で直径１０ｍｍの円形の平面が紙やフィルムの平面に対し垂直に当たるようにし、この紙厚測定時の荷重は、約７０ｇｆである。測定を１０回行って得られる平均値とする。
【００３３】
フィルム包装袋１０の包装形態としては、可撓性（プラスチック）フィルムの内部に薄葉紙束２０を収納された状態で、幅方向端部１７を熱シール等によりシールしてシール部１９が形成された例えばピロー包装袋（ｐｉｌｌｏｗ  ｔｙｐｅ  ｐａｃｋａｇｉｎｇ）を挙げることができる。
【００３４】
フィルム包装袋１０は、ピロー包装袋以外に、キャラメル包装袋、あるいはガゼット包装袋とすることも可能である。包装形態は、主に収納する組数によって適宜選択できる。ピロー包装袋は可撓性に富み適しているが、厚みのある被包装物や組数が多い場合にはあまり適切ではない。キャラメル包装袋は、包装袋の幅方向両端部（すなわち奥行方向面）の支持が他の包装形態よりも強固であるため撓みにくい利点がある。ガゼット包装は、組数が多い場合に適している。
【００３５】
ピロー包装は、被包装物となる束を外装フィルムで巻き込むように包み、その巻き込み方向において重畳する縁部を接着し、さらに被包装物を越えて延び出した部分をも接着してなる包装態様である。
キャラメル包装は、被包装物となる束を外装フィルムで巻き込むように包み、その巻き込み方向において重畳する縁部を接着し、さらに被包装物を越えて延び出した部分を、対向する２つの縁から前記被包装物側に折り込み、その際に形成される三角形片又は台形片の少なくとも各先端縁部同士を接着部してなる包装態様である。
ガゼット包装は、被包装物を両端開口の筒状体内に挿入し、被包装物を超えて飛び出す両端部を余剰代とし、この余剰代を接着した開口を熱シールにより封止する包装態様である。
ピロータイプのガゼット包装とは、被包装物となる束を外装フィルムで巻き込むように包み、被包装物を超えて飛び出す両端部を余剰代とし、この余剰代を接着した開口を封止する包装態様である。
【００３６】
フィルム包装袋１０を構成する可撓性フィルムとしては、この種のフィルム包装袋１０に用いられる汎用的なものを使用することができ、例えば、ポリプロピレン樹脂フィルム、ポリエチレン樹脂フィルム、ポリエチレンテレフタレート樹脂フィルムを使用することができるが、コストと生産性の面からポリプロピレン樹脂フィルム、ポリエチレン樹脂フィルムが特に良い。可撓性フィルムは、いくつかのフィルムを積層したラミネートフィルムであってもよい。
ポリエチレン樹脂フィルムとしては、直鎖状又は直鎖状短鎖分岐のポリエチレン樹脂組成物のフィルムを用いることができる。ポリエチレンテレフタレートと直鎖状又は直鎖状短鎖分岐のポリエチレン樹脂組成物のラミネートフィルムは好適である。
なお、直鎖状又は直鎖状短鎖分岐のポリエチレン樹脂組成物は、ＬＬＤＰＥとも称され、メタロセン触媒を用いる既知の方法にて製造可能である。このＬＬＤＰＥは、ヒートシール性に優れる。また、他のフィルムとして、ＬＤＰＥと称される汎用性が高く安価なものを用いることもできる。
【００３７】
フィルム包装袋１０を構成する可撓性フィルムは、ＪＩＳ  Ｐ  ８１１８（１９９８）に準拠して測定される厚みを２０〜６０μｍとされており、且つ、ＪＩＳ  Ｌ  １０９６（２０１０）  Ｅ法に準じたハンドルオメータ法に基づいて測定されるソフトネスを５．０〜５０．０ｃＮとされており、より好ましくは、前記厚みを１５〜４０μｍとされ、且つ、前記ソフトネスを１０．０〜３０．０ｃＮとされる。可撓性フィルムの前記厚みが２０μｍ未満であると、使用時に簡単に破れてしまうという問題があり、前記厚みが６０μｍ超過であると、ソフトネスを５０．０ｃＮ以下とすることが困難となる。
【００３８】
他方、フィルム包装袋１０を構成する可撓性フィルムの前記ソフトネスが５０．０ｃＮ超過であると、取出し時にフィルム包装袋１０と薄葉紙２が過度に擦れ、取出し抵抗が増えることで望む効果が得られにくくなる。
【００３９】
なお、前記厚みが６０μｍ以上である可撓性フィルムを形成する場合、可撓性フィルム中に含まれるＬＤＰＥなどの融点が低く、柔らかい性質の材質の配合比率を増やすことで、前記ソフトネスを５０．０ｃＮ以下とすることが好ましい。
【００４０】
〔取出口について〕
本発明の取出口の幅Ｗ３は薄葉紙束２０の幅Ｗ２に対して７８％〜９６％（８６％〜９５％が特に望ましい）であり、取出口の奥行Ｃ３は薄葉紙束２０の奥行Ｃ２に対して１５％〜２８％（１８％〜２５％が特に望ましい）である。
【００４１】
本発明の取出口１５としては、奥行Ｃ３を有する限り、図１〜図５に示す切除により開口している取出口１５、１５Ａ〜１５Ｄ、及び図７（Ｃ）に示す取出口１５Ｊなどの例を挙げることができる。
【００４２】
本発明の取出口１５としては、奥行Ｃ３を有するスリット口による、図６（Ａ）（Ｂ）に示す取出口１５Ｅ、１５Ｆ、及び図７（Ａ）（Ｂ）に示す取出口１５Ｇ、１５Ｈなどの例でもよい。
この場合のスリット口は、予め連続的に形成されていてもよいが、間欠的なミシン目により形成し、使用者が破断することによりスリット口が形成されるものでもよい。
【００４３】
〔取出口形状の実施形態〕
上記第１実施の形態における取出口１５は、図１及び図２（Ａ）、図５（Ａ）に示されているように、幅方向両端部が円弧１５ａ，１５ａである。
【００４４】
取出口の端部形状は適宜選択できる。そして、各端部は、最端縁を中心に含む少なくとも奥行の前後５ｍｍの範囲において、曲率半径が５ｍｍ以上の曲線、あるいは最端縁として５ｍｍ以上の直線部分を有する条件であるのが特に適している。
【００４５】
取出口の幅方向両端部の形状の条件について、図５に基づいて説明する。
すなわち、取出口１５の最端縁（図５の左端の縁）を中心に含む少なくとも奥行Ｃ３範囲のうち、前後５ｍｍの範囲において、曲率半径（図示例における曲率中心はもちろん右側にある）が５ｍｍ以上の曲線、あるいは最端縁そのものが５ｍｍ以上の直線部分を有する条件を満たすことが望ましい。
【００４６】
さらに詳しく説明すると、取出口１５の最端縁（図５の左端の２点鎖線で示す縁）を中心に含む奥行方向の範囲ＣＳのうち、少なくとも奥行方向の前後５ｍｍの範囲において、曲率半径Ｒが５ｍｍ以上の曲線を有するか、あるいは曲線でなく５ｍｍ以上の直線部分を有するものである。
ここに、曲率半径Ｒが５ｍｍ以上の曲線は、曲率半径Ｒが無限大である曲線を含み、曲率半径Ｒが無限大である曲線は直線と実質的に同一となるが、曲率半径Ｒが無限大である曲線と直線とは少なくとも概念が違うため、本明細書において区別して定義している。
【００４７】
取出口１５の最端縁（図５の左端の縁）を中心に含む少なくとも奥行Ｃ３の前後５ｍｍの範囲において、曲率半径が５ｍｍ未満の曲線、あるいは最端縁として５ｍｍ未満の直線部分を有するものは、最端縁近傍において、取出口が鋭角的であることを意味している。
この場合には、鋭角的な最端縁において、ティシュペーパーの取出し抵抗値が大きくなり、取出し性を悪化させる傾向にある。
また、フィルム包装袋１０の材質として、フィルム包装袋の引き裂きが生じ易い（引裂強度が低い）ものであった場合に、薄葉紙の取出し時に取出口の最端縁からフィルム包装袋の引き裂きが生じ易い傾向にある。
【００４８】
したがって、取出口１５の最端縁（図５の左端の縁）を中心に含む少なくとも奥行Ｃ３の前後５ｍｍの範囲において、曲率半径が５ｍｍ以上の曲線、あるいは最端縁として５ｍｍ以上の直線部分を有する条件を満たすことは、取出口１５の奥行Ｃ３が薄葉紙束２０の奥行Ｃ２に対して１５％〜２８％であっても、実施の形態の選択において重視すべき条件である。
【００４９】
図５（Ａ）の取出口１５の端部は円弧であるが、（Ｂ）のように直線部分を有してもよく、（Ｃ）のように最端部のほぼ全体を直線としてもよく、（Ｄ）のように複数の曲率半径（ｒ１、ｒ２、ｒ３・・・）を有する曲線でもよい。
【００５０】
他方、図６（Ａ）（Ｂ）に示す取出口１５Ｅ、１５Ｆのように、端部に円弧などの曲線部を有するスリット口でもよい。この場合、各曲線部は奥行方向に反対側に向いている。
【００５１】
また、図７（Ａ）（Ｂ）に示す取出口１５Ｇ、１５Ｈなどのように、端部の曲線部は奥行方向に同じ方向に向いているものでもよい。
【００５２】
端部を繋ぐ幅方向に沿う中間スリット口は、図６（Ａ）（Ｂ）に示す取出口１５Ｅ、１５Ｆ及び図７（Ａ）に示す取出口１５Ｇでは直線であるが、図７（Ｂ）に示す取出口１５Ｈなどのように、膨らんだ曲線でもよい。
【００５３】
上記例における奥行Ｃ３長さは、図示のとおりである。すなわち、取出口の奥行方向範囲長さを意味している。
【００５４】
なお、図６（Ｂ）の取出口１５Ｆの場合、端部の周長が長く中間スリット口に距離Ｇをもって接近しているが、ティシュペーパーの取出し時における幅方向位置がずれる可能性があり、この観点が推奨できにくい。
また、切除による図７（Ｃ）に示す取出口１５Ｊで示すように、中間取出口の縁は膨らんだ曲線でもよい。
【００５５】
従来例においては、図８に示すように、ミシン目を開封することにより形成するスリット口Ｓを使用するものでは、スリット口Ｓからの取出しを繰り返し、残りの組数が少なくなった場合、薄葉紙束２０の上面とフィルム包装袋１０上面との間の空間が大きくなる。
フィルム包装袋１０の形状が変形しやすいので、現在取り出そうとしている当該組の薄葉紙２とフィルム包装袋１０上面の内面との接触面積が大きくなり、それらの間で生じる摩擦による取出抵抗が大きくなる現象がみられる。すなわち、残りの組数が少なくなった場合、図８に示すように、フィルム包装袋１０上面がスリット口Ｓに向かって山形に変形する。その結果、薄葉紙２とフィルム包装袋１０上面の内面との間で生じる摩擦が広範囲において生じ、取出抵抗値が大きくなり、取出し性を低下させるのである。
【００５６】
本発明においては、図３に示すように、少なくとも奥行方向ＣＤに取出口１５が亘っているので、当該組の薄葉紙２とフィルム包装袋１０上面の内面との接触が抑制でき、残りの組数の減少に応じた取出抵抗値の変化を抑制でき、もって、図３に示すように、フィルム包装袋１０上面の形状変化（フィルム包装袋１０上面の浮き上がり）を抑制できる。その結果、最終組まで取出口１５から安定してティシュペーパーの取出しが可能であるため、薄葉紙の破断や、薄葉紙包装製品１自体が持ち上がることがない。
【００５７】
実施形態の薄葉紙束２０は、方形の薄葉紙が二つ折りされ、その折り返し片の縁が上下に隣接する薄葉紙の折り返し内面に位置するようにして、互い違いに重なり合いつつ積層されたものであり、最上位に位置する一枚の折り返し片を上方に引き上げると、その直下で隣接する他の一枚の折り返し片が、上方に引きずられて持ち上げられる所謂ポップアップ式の薄葉紙束２０となっている。このような薄葉紙束２０は、マルチスタンド式、ロータリ式の既知のインターフォルダにより製造することができる。但し、本発明の薄葉紙束２０は、このようなポップアップ式の薄葉紙束２０に限定されず、二つ折りに畳んだ方形のティシュペーパーを単に積み重ねたものであってもよい。これらの薄葉紙束２０は、その形状が概ね直方体形状となる。
【００５８】
薄葉紙束２０を構成する薄葉紙２の枚数は限定されるものではないが、ティシュペーパー製品では、一般的には２プライ（２枚重ね）を１組として９０〜２４０組であり、本実施形態の薄葉紙包装製品１でも同様に９０〜２４０組とすることができる。
【００５９】
薄葉紙束２０を構成する個々の薄葉紙２は、クレープを有する２枚〜３枚の薄葉紙が積層されて組とされたプライ構造を有する。この薄葉紙２は、乾燥されたドライタイプのもののほか、ポリオール系の薬液が含浸されているウェットタイプのものでもよい。
【００６０】
薄葉紙２を構成する薄葉紙の原料パルプとしては、ＮＢＫＰとＬＢＫＰとを配合したものである。古紙パルプが配合されていてもよいが、風合いなどの点で、ＮＢＫＰとＬＢＫＰのみから構成されているのがよい。配合割合としては、ＮＢＫＰ：ＬＢＫＰ＝２０：８０〜８０：２０がよく、特に、ＮＢＫＰ：ＬＢＫＰ＝３０：７０〜６０：４０がよい。
【００６１】
薄葉紙２の各プライを構成する薄葉紙１枚あたりの坪量は汎用タイプの１０．０〜１４．０ｇ／ｍ2である。本実施形態の薄葉紙２において好ましいここでの坪量は、ＪＩＳ  Ｐ  ８１２４（１９９８）の測定方法によるものをいう。また、薄葉紙２の紙厚は、２プライの状態で１００〜１７０μｍ、より好ましくは１００〜１４０μｍである。ここでの紙厚は、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて２プライの状態で測定した値をいう。
【００６２】
次に、使用する包装フィルムについて説明する。既述のように、使用する材料として、各種ポリエチレン、ポリプロピレンが好適に用いられる。特にポリプロピレンは、フィルムのコシがあり、ミシン目が開封しやすいことから好ましい。さらに、フィルム包装袋１０は２種類以上のポリエチレンやポリプロピレン層を積層してなる積層フィルムを使用してもよい。具体的な積層構造としては、（１）ＯＰＰ／ＣＰＰの貼り合せ２層構造（ドライラミ）、（２）ＯＰＰ／ＰＥ／ＣＰＰの３層構造、（３）ＰＥ／ＰＥの２層構造等が挙げられる。ここで、ＯＰＰは二軸延伸ポリプロピレン、ＣＰＰは無延伸ポリプロピレン、ＰＥはポリエチレンを示す。ＣＰＰは、融点の異なる２種以上のポリプロピレンを共押出により形成されていることが好ましい。ＰＥとしては、低密度ポリエチレン、直鎖状低密度ポリエチレンなどを用いることができる。
【００６３】
フィルム包装袋１０の厚みは、２０〜６０μｍが好ましく、３０〜５０μｍがより好ましい。フィルム包装袋１０の厚みが上記範囲未満であると、強度が低下して破れやすく、上記範囲を超えると破断線で開封し難くなったり、操業面ではヒートシール処理をきれいに施せない場合がある。
フィルム包装袋１０のＣＤ方向の伸びは、１０〜３００％が好ましく、また、４０〜２５０％がより好ましく、さらには８０〜１５０％がより好ましい。フィルム包装袋１０のＣＤ方向の伸びが上記範囲未満であると、開封時に破断線がシール部を通過して端部に達し、包装体が破れやすくなる場合があり、上記範囲を超えると破断線で開封し難くなる傾向がある。
フィルム包装袋１０のＭＤ方向の引裂強度は、１５０〜８０００ｍＮが好ましく、１０００〜４０００ｍＮがより好ましい。フィルム包装袋１０のＭＤ方向の引裂強度が上記範囲未満であると、開封時に破断線がシール部を通過して端部に達し、包装体が破れやすくなる場合があり、上記範囲を超えると破断線で開封し難くなる傾向がある。
【００６４】
なお、フィルム包装袋１０の坪量は、ＪＩＳ  Ｐ  ８１２４（１９９８）に準拠して測定する。フィルム包装袋１０の厚さは、ＪＩＳ  Ｐ  ８１１８（１９９８）に準拠して測定する。
フィルム包装袋１０のＣＤ方向の引張強度と伸びは、ＪＩＳ  Ｐ  ８１１３（２００６）に準拠して、測定する。なお、引張強度と伸びの測定は、例えば、旧Ｌｏｒｅｎｔｚｅｎ  ＆  Ｗｅｔｔｒｅ社製の引張強度測定器（ＳＥ−０６２）を用いることができる。具体的な測定は、ＭＤ方向の幅が５０ｍｍでＣＤ方向に長い短冊状の試料を用意し、試料の長手方向中央に、ＭＤ方向に沿って長さ４０ｍｍのスリットを入れ、ＣＤ方向に引っ張って測定する。試験片の伸張速度（つかみ具の移動速度）は２０ｍｍ／ｍｉｎ、つかみ具のスパンは１００ｍｍとする。
フィルム包装袋１０のＭＤ方向の引裂強度の測定は、ＪＩＳ  Ｐ  ８１１６（２０００）に準拠して測定する。なお、引裂強度は、例えば、旧Ｌｏｒｅｎｔｚｅｎ  ＆  Ｗｅｔｔｒｅ社製  エルメンドルフ形引裂強度試験器（ＳＥ−００９）を用いることができる。具体的な測定は、ＭＤ方向の幅が６３ｍｍでＣＤ方向に長い短冊状の試料を１枚セットし、引裂強度試験器に備え付けられているナイフで試料の長手方向中央にＭＤ方向に沿って切れ目を入れて、ＭＤ方向に引裂いて測定する。切れ目の長さを２０ｍｍ切り込む。
【００６５】
薄葉紙（ウェブ）の寸法としては、嵩を３０〜１００ｍｍ、幅を１５０〜２５０ｍｍ、奥行を９５〜１２０ｍｍ、収納組数を９０〜２４０組とすることができる。
【００６６】
薄葉紙の取出抵抗値に関し、１０組目の取出抵抗値は６０ｇｆ以下、特に５２ｇｆ以下、さらには５０ｇｆ未満が望ましい。
【００６７】
ここで、取出抵抗値の測定は、下記の順序で行う。
図９に示すように、取出口からポップアップしている薄葉紙２の先端中央部を、クリップ２１(コクヨ社製、商品名：目玉クリップ  クリー１７)で挟持する。具体的には、薄葉紙２の幅方向の辺の中央部かつ取出し方向端部から１０ｍｍの位置に水性ペンで直径１ｍｍ程度の丸印２３を付け、クリップ２１の挟持部分の長手方向が薄葉紙２の幅方向と平行となり、前記挟持部分の中心と丸印２３が一致するように挟持する。
クリップ２１の一方の押圧部２１ａの穴に、プッシュプルゲージ２２（株式会社イマダ製、商品名：デジタルフォースゲージ  ＤＰＳ−２０）のフック２２ａを通し、プッシュプルゲージ２２を上方に引いて、０．４秒〜０．６秒の時間をかけて一定速度で薄葉紙２をフィルム包装袋１０から垂直に取出し、取出し動作中の抵抗値の最大値を、取出抵抗値とする。
測定は最上層から１〜１０組目の薄葉紙２の取出しを１０回行って、各回の１０組目の平均値を算出する。
【実施例】
【００６８】
次に、本発明に係る薄葉紙包装製品１の実施例と比較例とを示し、本発明の効果をより明らかにする。
【００６９】
（市販品）
市販のいずれも１５０組（２枚１組）のティシュペーパーを収納したフィルム包装袋について、「取出抵抗値」及び「フィルム浮き（包装袋持ち上がり）発生組数」で取出し性を評価した。
ここに「取出抵抗値」は、１組目、５組目、１０組目、２５組目、５０組目についてそれぞれ測定したが、取出し性の傾向が明確に判る１０組目の「取出抵抗値」のみについて表に記入した。
また、「フィルム浮き（包装袋持ち上がり）発生組数」は順次取出しを行うにあたり、フィルム包装袋の上面の形状が変化して取出口が変形し、フィルム包装袋の浮き（持ち上がり）が生じ、底面部が机や床などの置き場から完全に浮いた組数をいう。
その他の取出し性については備考に記載した。
表１に示すように、ミシン目を開封することによりスリット口を形成する奥行き０ｍｍのものは、いずれも残組数が少なくなり、製品重量を取出抵抗値が上回った時点で「フィルム浮き」が生じる。
【００７０】
（試作品と比較品の比較）
スリット口の幅方向長さ及び包装形態を変えた試作品と比較品を作成（いずれも１５０組（２枚１組））し、取出し性を評価した。なお、薄葉紙の坪量は１０．９ｇ／ｍ2で共通である。
表１に示すように、取出口の幅方向長さの縮小によって取出抵抗値が増加する傾向がみられる（試作品１と比較品１の比較）。また、比較品２のように更に幅方向長さを縮小、幅方向長さを伸長させることで取出抵抗値を低下させることができるが、幅方向長さが短すぎることでティシュペーパーが窄むことで詰まりが発生した結果であり、フィルム包装袋の浮きが改善できていない。これは、ティシュペーパーの幅方向側縁がスリット口の端に接触してそのときの抵抗が取出抵抗値として加わるものと推測される。
【００７１】
（試作品１〜４）
取出口寸法を一定として、フィルム材質やフィルム膜厚を変えた試作品を作成し、取出し性を評価した。
表１に示すように、取出し口を一定としてフィルム材質とフィルム膜厚が規定内であれば取出抵抗値が抑えられると共にフィルム浮きが発生していないが、過度にフィルムが厚くなることで取出抵抗値が増加し、フィルム浮きが発生する。
【００７２】
（試作品２〜４と比較品４〜５の比較）本発明の規定外となる取出口比率から幅方向を更に大きくした比較品４については取出し口が大きすぎることで中身の薄葉紙束が取出口から出てしまい、最後まで取出すことができない結果となった。また、奥行方向を狭くした比較品５については、取出し性が下がり、フィルム浮きの発生が確認された。
【００７３】
【表１】
2018052559.tif 000014
【符号の説明】
【００７４】
１…薄葉紙包装製品、２…薄葉紙、１０…フィルム包装袋、１５…取出口、１５ａ・・・  、１６…収納空間、１７・・・幅方向端部、１９・・・シール部、２０…薄葉紙束、２１・・・クリップ、２１ａ・・・クリップの押圧部、２２・・・プッシュプルゲージ、２２ａ・・・フック  、２３・・・クリップの丸印、ＷＤ…幅方向、ＣＤ…奥行方向、ＨＤ…嵩高方向、Ｓ・・・スリット口。
【手続補正２】
【補正対象書類名】特許請求の範囲
【補正対象項目名】全文
【補正方法】変更
【補正の内容】
【特許請求の範囲】
【請求項１】
可撓性フィルムから形成されたフィルム包装袋の内部に、多数のティシュペーパーがポップアップ式に折り畳み重ねることで構成されたティシュペーパーの束が収納され、前記フィルム包装袋の上面に、前記ティシュペーパーの束の幅方向に沿う取出口が形成されているティシュペーパー包装製品であり、
前記ティシュペーパーは、ＪＩＳ  Ｌ  １０９６（２０１０）  Ｅ法に準じたハンドルオメータ法に基づいて測定されるソフトネスが１．０〜４．０ｃＮであり、ＪＩＳ  Ｐ  ８１２４（１９９８）に基づいて測定される１枚あたりの坪量が１０．０〜１４．０ｇ／ｍ2であり、
前記フィルム包装袋を形成する可撓性フィルムは、ＪＩＳ  Ｐ  ８１１８（１９９８）に準拠して測定される厚みが２０〜６０μｍであり、ＪＩＳ  Ｌ  １０９６（２０１０）  Ｅ法に準じたハンドルオメータ法に基づいて測定されるソフトネスが５．０〜５０．０ｃＮであり、
フィルム包装袋の収納空間は、幅方向長さがティシュペーパーの束の幅方向長さの１０３〜１３５％であり、奥行方向長さがティシュペーパー束の奥行方向長さの１０３〜１３５％であり、
前記取出口は、その幅がティシュペーパーの束の幅に対して７８％〜９６％であり、奥行がティシュペーパーの束の奥行に対して１５％〜２８％であり、幅方向両端部が、最端縁を中心に含む少なくとも奥行の前後５ｍｍの範囲において、曲率半径が５ｍｍ以上の曲線、あるいは最端縁として５ｍｍ以上の直線部分を有するものである、
ことを特徴とするティシュペーパー包装製品。
【請求項２】
前記取出口は、切除により開口している請求項１に記載のティシュペーパー包装製品。
【請求項３】
前記取出口は、前記幅方向に沿って配されたスリットによって形成されている請求項１に記載のティシュペーパー包装製品。
【請求項４】
前記取出口は、平面視でＳ字状を示している請求項３に記載のティシュペーパー包装製品。
【請求項５】
前記取出口は、端部に曲線部を有し、その曲線部は奥行の同方向に向かって反る形状である請求項３に記載のティシュペーパー包装製品。
【請求項６】
前記フィルムは、ポリエチレン及びポリプロピレンの少なくとも一方を材料としている  請求項１に記載のティシュペーパー包装製品。